(57)【要約】予備濯ぎ操作および洗浄操作を含む洗浄プログラムの過程において、下記組成：Ａ：１０〜７５重量％のビルダー；０．１〜１０重量％の酵素；２４．９〜８９．９重量％の溶媒；およびＢ：１０〜７４．９重量％のビルダー；２５〜８９．９重量％の溶媒を有する２種の液体状洗浄剤ＡおよびＢを、この洗浄操作中、２つの逐次的な時間ｔ１およびｔ２に、食器洗い機内部に計量供給し、液体状洗浄剤Ａが６〜９のｐＨ値（２０℃）を有し、時間ｔ１に計量供給され、一方、液体状洗浄剤Ｂが９〜１４のｐＨ値（２０℃）を有し、時間ｔ２に計量供給される、食器洗い機での食器の機械洗浄方法。【特許請求の範囲】
【請求項１】
予備濯ぎサイクルおよび洗浄サイクルを含む洗浄プログラムの過程において、組成：
Ａ：１０〜７５重量％のビルダー、
０．１〜１０重量％の酵素、
２４．９〜８９．９重量％の溶媒、および
Ｂ：１０〜７４．９重量％のビルダー、
２５〜８９．９重量％の溶媒
を有する２種の液体状洗浄剤ＡおよびＢを、この洗浄サイクル中、２つの逐次的な時間ｔ１およびｔ２に、食器洗い機内部に計量供給し、液体状洗浄剤ＡがｐＨ６〜９（２０℃）を有し、時間ｔ１に計量供給され、一方、液体状洗浄剤ＢがｐＨ９〜１４（２０℃）を有し、時間ｔ２に計量供給される、食器洗い機での食器の機械洗浄方法。
【請求項２】
時間ｔ１とｔ２との時間差が、２〜３０分、好ましくは４〜２５分、特に６〜２０分である、請求項１に記載の方法。
【請求項３】
時間ｔ１での洗い液の温度が、１２℃〜４５℃、好ましくは１５℃〜４０℃、特に２０℃〜３５℃である、請求項１または２に記載の方法。
【請求項４】
時間ｔ２での洗い液の温度が、３０℃〜６５℃、好ましくは３５℃〜６０℃、特に４０℃〜５５℃である、請求項１〜３のいずれかに記載の方法。
【請求項５】
液体状洗浄剤Ａおよび／または液体状洗浄剤Ｂが溶媒として水を含有する、請求項１〜４のいずれかに記載の方法。
【請求項６】
液体状洗浄剤Ａおよび／または液体状洗浄剤Ｂが、有機溶媒の群からの溶媒を含有し、有機溶媒が、好ましくは有機アミンおよび／またはアルカノールアミン、好適にはエタノールアミンである、請求項１〜５のいずれかに記載の方法。
【請求項７】
洗浄剤Ａが６．５〜８．５、好ましくは７〜８のｐＨ（２０℃）を有する、請求項１〜６のいずれかに記載の方法。
【請求項８】
洗浄剤Ｂが９．５〜１３、好ましくは１０〜１２のｐＨ（２０℃）を有する、請求項１〜７のいずれかに記載の方法。
【請求項９】
液体状洗浄剤ＡのｐＨ（２０℃）が、液体状洗浄剤ＢのｐＨ（２０℃）と少なくとも２単位異なる、請求項１〜８のいずれかに記載の方法。
【請求項１０】
液体状洗浄剤Ｂが０．１重量％〜２０重量％の塩素漂白剤を含有する、請求項１〜９のいずれかに記載の方法。
【請求項１１】
洗浄剤ＡおよびＢの漂白剤含有量が、２重量％未満、好ましくは１重量％未満、特に０．５重量％未満、とりわけ０．１重量％未満である、請求項１〜１０のいずれかに記載の方法。
【請求項１２】
洗浄剤ＡおよびＢが漂白剤を含有しない、請求項１〜９のいずれかに記載の方法。
【請求項１３】
洗浄剤Ａが、０．２重量％〜１０重量％、好ましくは０．４重量％〜７重量％、特に０．６重量％〜４重量％の非イオン性界面活性剤も含有する、請求項１〜１２のいずれかに記載の方法。
【請求項１４】
洗浄剤がメチルグリシン二酢酸またはメチルグリシン二酢酸塩を含有し、メチルグリシン二酢酸またはメチルグリシン二酢酸塩の量が、好ましくは０．２重量％〜１２重量％、特に０．２重量％〜８重量％、とりわけ０．２重量％〜６重量％である、請求項１〜１３のいずれかに記載の方法。
【請求項１５】
洗浄剤ＡまたはＢの少なくとも１つの粘度（ブルックフィールド粘度計  LVT-II、２０ｒｐｍおよび２０℃、スピンドル３）が、２００ｍＰａｓ〜１０，０００ｍＰａｓ、好ましくは５００ｍＰａｓ〜７０００ｍＰａｓ、特に１０００ｍＰａｓ〜４０００ｍＰａｓである、請求項１〜１４のいずれかに記載の方法。
【請求項１６】
液体状洗浄剤ＡおよびＢが非水溶性の二室型または多室型貯蔵容器内にある、請求項１〜１５のいずれかに記載の方法。
【請求項１７】
硬質表面上の漂白可能な汚れを除去するため、好ましくは茶による汚れを除去するための、請求項１〜１６のいずれかに記載の方法の使用。
【請求項１８】
乾燥および／または焼かれた汚れを洗浄するため、特に乾燥および／または焼かれた汚れを機械による食器洗いで洗浄するための、請求項１〜１７のいずれかに記載の方法の使用。
【発明の詳細な説明】
【技術分野】
【０００１】
本特許出願は、食器の洗浄方法に関する。特に、この特許出願は、時間をずらして液体状洗浄剤を食器洗い機内部に計量供給する、食器の洗浄方法に関する。
【背景技術】
【０００２】
消費者は、食器洗剤を様々な形態で入手できる。家庭用食器洗い機の普及に伴い、従来の手洗い用液体状食器洗剤に加えて、機械用食器洗剤が非常に重要性を増してきている。これらの機械用食器洗剤は、典型的には、固体状で、例えば粉末またはタブレットとして消費者に提供される。
【０００３】
機械用洗浄剤の製造業者の主な目標の１つは、これら製剤の洗浄能力を向上することである。近年、低温洗浄サイクルおよび／または節水洗浄サイクルでの洗浄能力に、高い関心が寄せられている。
【０００４】
これらの問題を解決するため、好ましくは新規成分、例えば、より有効な界面活性剤、ポリマーまたは漂白剤を洗浄剤に添加する。しかしながら、問題を解決するためのこの取り組みには自ずと限界がある。なぜなら、新規成分は、制限された程度でしか入手できず、かつ生態学的および経済的理由により、洗浄サイクル１回あたりに使用する該成分量を制限なしに増やせないからである。
【０００５】
現存する洗剤または洗浄剤の性能プロフィールを改善するための別の取り組みは、新規なパッケージ形態、例えば、固体状および液体状の洗剤成分または洗浄剤成分の組み合わせの開発からなる。
【発明の概要】
【発明が解決しようとする課題】
【０００６】
本特許出願の目的は、低温洗浄サイクルおよび／または節水洗浄サイクルでさえ、従来の食器洗剤と比較して改善された洗浄力の故に水の消費量が少ないことを特徴とする、食器を洗浄するための洗浄剤を提供することである。
【課題を解決するための手段】
【０００７】
この目的は、時間をずらして液体状洗浄剤を食器洗い機内部に計量供給する、特別な食器洗い方法によって達成された。
【０００８】
従って、本特許出願の第一の対象は、予備濯ぎサイクルおよび洗浄サイクルを含む洗浄プログラムの過程において、下記組成：
Ａ：１０〜７５重量％のビルダー、
０．１〜１０重量％の酵素、
２４．９〜８９．９重量％の溶媒、および
Ｂ：１０〜７４．９重量％のビルダー、
２５〜８９．９重量％の溶媒
を有する２種の液体状洗浄剤ＡおよびＢを、この洗浄サイクル中、２つの逐次的な時間ｔ１およびｔ２に、食器洗い機内部に計量供給し、液体状洗浄剤ＡがｐＨ６〜９（２０℃）を有し、時間ｔ１に計量供給され、一方、液体状洗浄剤ＢがｐＨ９〜１４（２０℃）を有し、時間ｔ２に計量供給される、食器洗い機での食器の機械洗浄方法である。
【発明を実施するための形態】
【０００９】
本発明の方法は、一般的な食器洗い機の内部で実施される。一般に、洗浄プログラムは、食器洗い機での食器洗い方法の機能により、消費者によって選択および決定され得る。
【００１０】
本発明の方法で使用される食器洗い機の洗浄プログラムは、少なくとも１回の予備濯ぎサイクル、および洗浄サイクルを含む。本発明によれば、付加的な洗浄サイクルまたは濯ぎサイクル、例えば清浄濯ぎサイクルを含む洗浄プログラムが好ましい。従って、本発明の方法は、予備濯ぎサイクルおよび洗浄サイクルのみからなる洗浄プログラムに限定されない。
【００１１】
本発明の方法は、特に好ましくは、予備濯ぎサイクル、洗浄サイクルおよび清浄濯ぎサイクルを含む洗浄プログラムの一部分である。自動食器洗い機の洗浄プログラムは、実施時間、水消費量および洗浄液温度に関して異なってよい。本発明の方法は、好ましくは、洗浄サイクルの過程で洗い液が加熱される洗浄プログラムと併せて使用される。
【００１２】
本発明の方法の好ましい態様では、その過程で洗浄剤ＡおよびＢが食器洗い機内部に計量供給される洗浄サイクルが、その過程で洗浄液温度を３０℃超、好ましくは４０℃超、特に５０℃超のレベルまで上げることを特徴とする。
【００１３】
好ましい態様では、時間ｔ１での洗い液温度は、１２℃〜４５℃、好ましくは１５℃〜４０℃、特に２０℃〜３５℃であり、一方、時間ｔ２での洗い液温度は、好ましくは３０℃〜６５℃、特に３５℃〜６０℃、とりわけ４０℃〜５５℃である。
【００１４】
洗浄剤ＡおよびＢの計量供給時に、洗い液は、同じ温度または異なる温度であってよい。時間ｔ１での洗い液温度は、好ましくは、時間ｔ２での洗い液温度と異なり、時間ｔ１での温度は、時間ｔ２での温度より高いかまたは低くてよい。特に有利な洗浄結果は、時間ｔ１での洗い液温度が時間ｔ２での洗い液温度より低い本発明の方法により達成された。従って、そのような方法が好ましい。
【００１５】
本発明の方法における洗浄能力を最適化するため、時間ｔ２での洗い液温度は、時間ｔ１での洗い液温度より、好ましくは少なくとも５℃、特に少なくとも１０℃、とりわけ１０℃〜４０℃、最も好ましくは１０℃〜２０℃高い。
【００１６】
２種の液体状洗浄剤ＡおよびＢの計量供給は、洗浄サイクルの過程において、２つの逐次的な時間ｔ１およびｔ２に実施する。洗浄剤Ａを時間ｔ１に計量供給し、洗浄剤Ｂを時間ｔ２に計量供給し、時間ｔ１は時間ｔ２より前である。
【００１７】
時間ｔ１は、好ましくは洗浄サイクルの開始後の最初の１０分以内、好適には洗浄サイクルの開始後の最初の８分以内、特に洗浄サイクルの開始後の最初の５分以内である。
【００１８】
時間ｔ１とｔ２との時間差は、好ましくは２〜３０分、特に４〜２５分、とりわけ６〜２０分である。
【００１９】
本発明の方法における洗浄能力を最適化するため、洗浄剤ＡおよびＢのｐＨを狭い範囲に維持することも規定する。好ましい方法は、洗浄剤ＡがｐＨ（２０℃）６．５〜８．５、好ましくは７〜８を有し、一方、洗浄剤ＢのｐＨ（２０℃）が９．５〜１３、好ましくは１０〜１２であることを特徴とする。
【００２０】
特に良好な洗浄結果が得られるので、液体状洗浄剤ＡのｐＨ（２０℃）が液体状洗浄剤ＢのｐＨ（２０℃）と少なくとも２単位異なる方法が、とりわけ好ましい。
【００２１】
洗浄剤ＡおよびＢは、好ましくは、自立的計量供給デバイスから食器洗い機内部に導入される。「自立的」は、使用される食器洗い機の一体化された構成要素ではない計量供給デバイスに関する。そのような計量供給デバイスは、好ましくは、それ自体に洗浄剤ＡおよびＢのための貯蔵容器を有し、それ自体に洗浄剤ＡおよびＢを食器洗い機内部に導入および計量供給するための計量供給デバイスを有する。特に好ましい態様では、計量供給デバイスは、独立した電力供給装置も備えている。
【００２２】
洗浄剤ＡおよびＢを、独立した計量供給デバイスによって、食器洗い機内部に各々導入してもよい。しかしながら、洗浄剤ＡおよびＢが、分割された計量供給デバイス内で互いに組み合わされていることが好ましい。従って、好ましい態様では、液体状洗浄剤ＡおよびＢを、非水溶性の二室型または多室型貯蔵容器内に供給する。洗浄剤ＡおよびＢは、好ましくは、この容器内で空間的に互いに分離されており、この容器から食器洗い機内部に計量供給される。洗浄剤が互いに分離されているので、洗浄剤の物理的および化学的相互作用は抑制される。
【００２３】
貯蔵容器の各室の容積は、洗浄剤Ａおよび／またはＢの計量供給量１回分の、好ましくは少なくとも５倍、好適には少なくとも１０倍、特に好ましくは少なくとも２０倍を保持するのに十分な大きさである。洗浄方法の過程における洗浄剤ＡおよびＢの計量供給量は、好ましくは５ｍＬ〜５０ｍＬ、特に１０ｍＬ〜４０ｍＬ、とりわけ１０ｍＬ〜３０ｍＬであるので、洗浄剤Ａおよび／または洗浄剤Ｂのための貯蔵室の好ましい容積は、少なくとも２５ｍＬ、好ましくは少なくとも５０ｍＬ、特に少なくとも１００ｍＬである。洗浄剤ＡおよびＢ各々に対して一室ずつを有する計量供給デバイスが好ましく、それらの室各々の容積は、５０ｍＬ〜１０００ｍＬ、好ましくは１００ｍＬ〜８００ｍＬ、特に２００ｍＬ〜６００ｍＬである。
【００２４】
本発明の方法における洗浄能力が、上記したパラメーターに加えて、計量供給デバイスの計量供給速度にも影響され得ることが意外にも見出された。計量供給デバイスの計量供給速度は、好ましくは１ｍＬ／分〜４０ｍＬ／分、特に２ｍＬ／分〜３０ｍＬ／分、とりわけ４ｍＬ／分〜２０ｍＬ／分である。
【００２５】
本発明の方法に使用される洗浄剤ＡおよびＢは、他の洗剤成分、または洗浄効果を有する成分に加えて、ビルダーを含有する。ビルダーは、特に、ゼオライト、ケイ酸塩、炭酸塩、有機共ビルダー、およびその使用に生態学上の問題がなければリン酸塩も包含する。
【００２６】
一般式：ＮａＭＳｉｘＯ２ｘ＋１・ｙＨ２Ｏ［式中、Ｍはナトリウムまたは水素を示し、ｘは１．９〜２２、好ましくは１．９〜４の数であり、ｘの特に好ましい値は２、３または４であり、ｙは０〜３３、好ましくは０〜２０の数である。］で示される結晶性層状ケイ酸塩が、使用するのに特に好ましい。式：ＮａＭＳｉｘＯ２ｘ＋１・ｙＨ２Ｏで示される結晶性層状ケイ酸塩は、Clariant GmbH（ドイツ国）によって、例えば商標名Na-SKSで販売されている。これらのケイ酸塩の例は、Na-SKS-1（Ｎａ２Ｓｉ２２Ｏ４５・ｘＨ２Ｏ、ケニアイト）、Na-SKS-2（Ｎａ２Ｓｉ１４Ｏ２９・ｘＨ２Ｏ、マガダイト）、Na-SKS-3（Ｎａ２Ｓｉ８Ｏ１７・ｘＨ２Ｏ）またはNa-SKS-4（Ｎａ２Ｓｉ４Ｏ９・ｘＨ２Ｏ、マカタイト）を包含する。
【００２７】
本発明の目的のため、式：ＮａＭＳｉｘＯ２ｘ＋１・ｙＨ２Ｏ［式中、ｘは２を意味する。］で示される結晶性層状ケイ酸塩が特に適している。とりわけ、β−およびδ−二ケイ酸ナトリウム：Ｎａ２Ｓｉ２Ｏ５・ｙＨ２Ｏの両方、特に、Na-SKS-5（α−Ｎａ２Ｓｉ２Ｏ５）、Na-SKS-7（β−Ｎａ２Ｓｉ２Ｏ５、ナトロシライト）、Na-SKS-9（ＮａＨＳｉ２Ｏ５・Ｈ２Ｏ）、Na-SKS-10（ＮａＨＳｉ２Ｏ５・３Ｈ２Ｏ、カネマイト）、Na-SKS-11（ｔ−Ｎａ２Ｓｉ２Ｏ５）およびNa-SKS-13（ＮａＨＳｉ２Ｏ５）、とりわけNa-SKS-6（δ−Ｎａ２Ｓｉ２Ｏ５）が好ましい。
【００２８】
液体状洗浄剤Ａおよび／またはＢは、好ましくは、式：ＮａＭＳｉｘＯ２ｘ＋１・ｙＨ２Ｏで示される結晶性層状ケイ酸塩を、各洗浄剤ＡまたはＢの重量に各々基づいて、０．１重量％〜２０重量％、０．２重量％〜１５重量％、特に０．４重量％〜１０重量％の量で含有する。
【００２９】
１：２〜１：３．３、好ましくは１：２〜１：２．８、特に１：２〜１：２．６のＮａ２Ｏ：ＳｉＯ２の組成比を有する非晶質ケイ酸ナトリウムも使用でき、それらは、好ましくは、遅延溶解特性および二次的洗い特性を有する。従来の非晶質ケイ酸ナトリウムと比較して遅い溶解は、種々の方法、例えば、表面処理、コンパウンド化、圧縮／成形または過乾燥によって達成され得る。本発明では、用語「非晶質」は、ケイ酸塩が、Ｘ線回折実験において、結晶性物質の典型であるような鋭いＸ線反射を生じないが、その代わりに数度単位の回折角の幅を有する散乱Ｘ線のピークを１つだけまたは２つ以上生じることを意味すると理解される。
【００３０】
上記した非晶質ケイ酸ナトリウムに代えてまたは組み合わせて、Ｘ線非晶質であるケイ酸塩を使用してもよい。そのケイ酸塩粒子は、電子線回折実験において、不鮮明なまたは鋭い回折ピークを生じる。これは、該物質が、１０ｎｍ〜数百ｎｍの大きさの微晶質領域を有することを示すと解釈されるが、最大５０ｎｍまで、特に最大２０ｎｍまでの値が好ましい。そのようなＸ線非晶質ケイ酸塩はまた、従来の水ガラスと比較して遅い溶解性を有する。とりわけ、成形／圧縮非晶質ケイ酸塩、コンパウンド化非晶質ケイ酸塩、および過乾燥Ｘ線非晶質ケイ酸塩が、特に好ましい。
【００３１】
本発明において、ケイ酸塩、好ましくはアルカリケイ酸塩、特に好ましくは結晶性または非晶質アルカリ二ケイ酸塩が、液体状洗浄剤Ａおよび／またはＢ中に、各洗浄剤ＡまたはＢの重量に各々基づいて、２重量％〜４０重量％、好ましくは３重量％〜３０重量％、特に５重量％〜２５重量％の量で存在することが好ましい。
【００３２】
広く知られているリン酸塩のビルダー物質としての使用も、そのような使用が生態学上の理由から回避すべきでなければ、もちろん可能である。様々な市販リン酸塩の中で、アルカリ金属リン酸塩が、洗剤および洗浄剤産業で最も重要性を増しており、三リン酸五ナトリウムおよび／または三リン酸五カリウム（トリポリリン酸ナトリウムおよび／またはトリポリリン酸カリウム）が特に好ましい。
【００３３】
アルカリ金属リン酸塩は、様々なリン酸のアルカリ金属塩（特にナトリウム塩およびカリウム塩）に対する一般用語であり、メタリン酸（ＨＰＯ３）ｎおよびオルトリン酸Ｈ３ＰＯ４は、より高分子の例に加えて区別され得る。リン酸塩は複数の利点を併せ持つ：リン酸塩は、アルカリ性キャリヤーとして作用し、機械部品上の石灰堆積物および布地上の石灰付着物を防ぎ、洗浄能力にも寄与する。
【００３４】
産業上、特に重要なリン酸塩は、三リン酸五ナトリウムＮａ５Ｐ３Ｏ１０（トリポリリン酸ナトリウム）、および対応するカリウム塩である三リン酸五カリウムＫ５Ｐ３Ｏ１０（トリポリリン酸カリウム）を包含する。加えて、トリポリリン酸ナトリウムカリウムも、本発明の使用に好ましい。
【００３５】
本特許出願の範囲内で、液体状洗浄剤Ａおよび／またはＢ中の洗剤物質または洗浄物質としてリン酸塩を使用するならば、好ましい配合物は、このリン酸塩、好ましくはアルカリ金属リン酸塩、特に好ましくは三リン酸五ナトリウムおよび／または三リン酸五カリウム（トリポリリン酸ナトリウムおよび／またはトリポリリン酸カリウム）を、各洗浄剤Ａおよび／またはＢの重量に各々基づいて、５重量％〜６０重量％、好ましくは１５重量％〜４５重量％、特に２０重量％〜４０重量％の量で含有する。
【００３６】
記載し得る有機共ビルダーは、特に、ポリカルボキシレート／ポリカルボン酸、ポリマーポリカルボキシレート、アスパラギン酸、ポリアセタール、デキストリン、他の有機共ビルダーおよびホスホン酸塩を包含する。これらの種類の物質を以下に記載する。
【００３７】
使用できる有機ビルダー物質は、例えば、遊離酸および／またはナトリウム塩の形態で使用され得るポリカルボン酸を包含する。ここで、ポリカルボン酸は、２つ以上の酸官能基を有するカルボン酸であると理解される。その例は、クエン酸、アジピン酸、コハク酸、グルタル酸、リンゴ酸、酒石酸、マレイン酸、フマル酸、糖酸、アミノカルボン酸、ニトリロ三酢酸（ＮＴＡ）（その使用が生態学的理由から反対されなければ）、およびそれらの混合物を包含する。遊離酸は、そのビルダー効果に加えて、一般に、酸性化成分の特性も有し、従って、洗剤または洗浄剤のｐＨをより低く穏やかに調整するのにも役立つ。本発明では、特に、クエン酸、コハク酸、グルタル酸、アジピン酸、グルコン酸、およびそれらの混合物が挙げられる。
【００３８】
本発明では、クエン酸またはクエン酸塩が特に好ましく使用される。洗浄剤ＡまたはＢの少なくとも１つがクエン酸またはクエン酸塩を含有し、クエン酸またはクエン酸塩の量が洗浄剤の総重量に基づいて０．２重量％〜１２重量％、好ましくは０．２重量％〜８重量％、特に０．２重量％〜６重量％であることを特徴とする配合物が、本発明において好ましい。
【００３９】
他の特に好ましいビルダー物質は、メチルグリシン二酢酸（ＭＧＤＡ）である。洗浄剤がメチルグリシン二酢酸またはメチルグリシン二酢酸塩を含有し、メチルグリシン二酢酸またはメチルグリシン二酢酸塩の量が好ましくは０．２重量％〜１２重量％、特に０．２重量％〜８重量％、とりわけ０．２重量％〜６重量％であることを特徴とする本発明の方法が、本発明において好ましい。
【００４０】
加えて、ポリマーポリカルボキシレートもビルダー物質として適している。ポリマーポリカルボキシレートは、例えば、ポリアクリル酸またはポリメタクリル酸のアルカリ金属塩を包含し、それらは例えば５００ｇ／ｍｏｌ〜７０，０００ｇ／ｍｏｌの相対分子量を有する。
【００４１】
本発明では、ポリマーポリカルボキシレートについて記載されている分子量は、各々の酸形態の重量平均分子量Ｍｗであり、基本的に、ＵＶ検出器を用いたゲル透過クロマトグラフィー（ＧＰＣ）により測定される。測定は、試験するポリマーとのその構造的関係から実際の分子量値が得られる外部ポリアクリル酸標準に対して実施した。これらの値は、標準としてポリスチレンスルホン酸を用いて得られた分子量値とは著しく異なる。ポリスチレンスルホン酸を用いて測定された分子量は、通常、本明細書において記載されている分子量よりもずっと高い。
【００４２】
適当なポリマーは、特に、好ましくは２０００ｇ／ｍｏｌ〜２０，０００ｇ／ｍｏｌの分子量を有する、ポリアクリレートを包含する。この群からは、２０００ｇ／ｍｏｌ〜１０，０００ｇ／ｍｏｌ、特に好ましくは３０００ｇ／ｍｏｌ〜５０００ｇ／ｍｏｌの分子量を有する短鎖ポリアクリレートが、その優れた溶解性の故に好ましい。
【００４３】
コポリマーポリカルボキシレート、特にアクリル酸とメタクリル酸とのコポリマー、アクリル酸またはメタクリル酸とマレイン酸とのコポリマーも適している。５０重量％〜９０重量％のアクリル酸および５０重量％〜１０重量％のマレイン酸を含有する、アクリル酸とマレイン酸とのコポリマーが特に適していることが分かった。遊離酸に基づいたそれらの相対分子量は、一般に２０００ｇ／ｍｏｌ〜７０，０００ｇ／ｍｏｌ、好ましくは２０，０００ｇ／ｍｏｌ〜５０，０００ｇ／ｍｏｌ、特に３０，０００ｇ／ｍｏｌ〜４０，０００ｇ／ｍｏｌである。
【００４４】
洗剤または洗浄剤中の（コ）ポリマーカルボキシレート含有量は、好ましくは０．１重量％〜１０重量％、特に０．２重量％〜８重量％、特に好ましくは０．４重量％〜６重量％、とりわけ０．４重量％〜４重量％である。
【００４５】
水溶性を改善するため、ポリマーは、モノマーとして、アリルスルホン酸、例えばアリルオキシベンゼンスルホン酸およびメタリルスルホン酸を含有してもよい。
【００４６】
３種以上の異なったモノマー単位からなる生物分解性ポリマー、例えば、モノマーとして、アクリル酸塩およびメタクリル酸塩並びにビニルアルコールおよび／またはビニルアルコール誘導体を含有するもの、或いはモノマーとして、アクリル酸塩および２−アルキルアリルスルホン酸塩並びに糖誘導体を含有するものが、特に好ましい。
【００４７】
更に好ましいコポリマーは、モノマーとして、好ましくはアクロレインおよびアクリル酸／アクリル酸塩および／またはアクロレインおよび酢酸ビニルを含有するものである。
【００４８】
同様に、ポリマーアミノジカルボン酸、その塩またはその前駆物質を、更なる好ましいビルダー物質として挙げることができる。ポリアスパラギン酸および／またはその塩が特に好ましい。
【００４９】
他の適当なビルダー物質は、ジアルデヒドと５〜７個の炭素原子および少なくとも３つのヒドロキシル基を含有するポリオールカルボン酸との反応により得ることができる、ポリアセタールを包含する。好ましいポリアセタールは、例えばグリオキサール、グルタルアルデヒド、テレフタルアルデヒド、およびそれらの混合物のようなジアルデヒドと、例えばグルコン酸および／またはグルコヘプトン酸のようなポリオールカルボン酸とから得られる。
【００５０】
他の適当な有機ビルダー物質は、デキストリン、例えばデンプンの部分的加水分解により得ることができる炭水化物のオリゴマーおよび／またはポリマーを包含する。この加水分解は、通例の方法、例えば酸触媒または酵素触媒による方法により行うことができる。それらは、好ましくは、４００ｇ／ｍｏｌ〜５００，０００ｇ／ｍｏｌの範囲に平均分子量を有する加水分解生成物である。０．５〜４０、特に２〜３０の範囲にデキストロース当量（ＤＥ）を有する多糖類が好ましく、ここで、ＤＥは、１００のＤＥを有するデキストロースを対照とする多糖類の還元効果の有効な尺度である。ＤＥが３〜２０であるマルトデキストリンおよびＤＥが２０〜３７である乾燥グルコースシロップ、そして２０００ｇ／ｍｏｌ〜３０，０００ｇ／ｍｏｌの範囲により高い分子量を有するいわゆる黄色デキストリンおよび白色デキストリンも使用できる。
【００５１】
そのようなデキストリンの酸化誘導体は、糖類の環の少なくとも１つのアルコール官能基をカルボン酸官能基へと酸化することができる酸化剤によるデキストリンの反応生成物を包含する。
【００５２】
オキシジスクシネートおよび他のジスクシネート誘導体、好ましくは、エチレンジアミンジスクシネートは、他の適当な共ビルダーである。エチレンジアミンＮ，Ｎ’−ジスクシネート（ＥＤＤＳ）を、そのナトリウム塩またはマグネシウム塩の形態で好ましく使用する。これに関連して、グリセロールジスクシネートおよびグリセロールトリスクシネートも好ましい。
【００５３】
他の使用できる有機共ビルダーは、例えば、アセチル化ヒドロキシカルボン酸および／またはそれらの塩であり、それらは、場合によって、ラクトン形態で存在してもよく、少なくとも４個の炭素原子と少なくとも１つのヒドロキシ基および最大２つの酸基を含有する。
【００５４】
加えて、アルカリ土類金属イオンと錯体を形成できる化合物の全ても、ビルダー物質として使用できる。
【００５５】
本発明の方法において洗浄剤Ａとして使用される組成物は、更なる成分として酵素を含有する。酵素は、特に、プロテアーゼ、アミラーゼ、リパーゼ、ヘミセルラーゼ、セルラーゼまたはオキシドリダクターゼ、並びに好ましくはそれらの混合物を包含する。これらの酵素は基本的に天然起源のものである。天然分子から出発し、改良された変異体が、洗剤および洗浄剤への使用のために入手可能であり、従って好ましく使用される。洗剤または洗浄剤は、好ましくは、活性タンパク質に基づいて１×１０−６重量％〜５重量％の総量で酵素を含有する。タンパク質濃度は、既知の方法、例えばＢＣＡ法またはビウレット法を用いて測定できる。
【００５６】
プロテアーゼのうち、サブチリシンタイプのプロテアーゼが好ましい。その例は、subtilisin BPN'およびCarlsberg並びにそれらの更なる発展形、即ちprotease PB92、subtilisin 147および309、Bacillus lentusからのアルカリ・プロテアーゼ、subtilisin DYおよび酵素thermitase、proteinase K、並びにproteases TW3およびTW7（これらは、狭義には、もはやサブチリシンではないが、サブチラーゼに属する。）を包含する。
【００５７】
本発明に従って使用できるアミラーゼの例は、Bacillus licheniformisから、B. amyloliquefaciensから、B. stearothermophilusから、Aspergillus nigerから、およびA. oryzaeからのα−アミラーゼ、並びに洗剤および洗浄剤への使用のために改良された上記アミラーゼの更なる発展形を包含する。加えて、Bacillus sp. A 7-7（DSM 12368）からのα−アミラーゼおよびB. agaradherens（DSM 9948）からのcyclodextrin glucanotransferase（CGTase）が、この目的のために重要である。
【００５８】
（α−アミラーゼ  ＡＡ５６０に従ったリストにおける）以下の位置：９、１４９、１８２、１８６、２０２、２５７、２９５、２９９、３２３、３３９、３４５および任意に他の位置でのアミノ酸変化によりα−アミラーゼ  ＡＡ５６０に対応できる出発α−アミラーゼから、または以下のアミノ酸変化によりα−アミラーゼ  ＡＡ５６０から得られるα−アミラーゼ変異体が、本発明の方法における使用に特に適していることが分かった。
【００５９】
【化１】
2009540897.tif 000002
【化２】
2009540897.tif 000003
【化３】
2009540897.tif 000004
【化４】
2009540897.tif 000005
【００６０】
α−アミラーゼ変異体は、特に好ましくは、α−アミラーゼ  ＡＡ５６０に対応できる出発α−アミラーゼと比較して、以下の位置での１つ以上の更なるアミノ酸変化により特徴付けられる：（α−アミラーゼ  ＡＡ５６０に従ったリストにおける）１１８、１８３、１８４、１９５、３２０および４５８。このとき、α−アミラーゼ変異体は、好ましくは、特に占有された以下のアミノ酸位置を有する：（α−アミラーゼ  ＡＡ５６０に従ったリストにおける）１１８Ｋ、１８３−（欠失）、１８４−（欠失）、１９５Ｆ、３２０Ｋおよび／または４５８Ｋ。
【００６１】
α−アミラーゼ  ＡＡ５６０またはその誘導体から誘導され得、好ましくはα−アミラーゼ  ＡＡ５６０自体から誘導された、α−アミラーゼ変異体が特に好ましい。とりわけ、本発明に従って使用され、α−アミラーゼ  ＡＡ５６０と比較して以下のアミノ酸変化の１つを有するα−アミラーゼ変異体を含有する、洗浄剤が特に好ましい。
【化５】
2009540897.tif 000006
【００６２】
上記した好ましいα−アミラーゼ変異体は、特に、複数の洗浄サイクルに十分な洗浄剤を保持する自動計量供給システムによる貯蔵および計量供給に使用される際、平均より上の貯蔵安定性および洗浄能力により優れた働きをする。これは、洗浄剤を、計量供給システム内に長時間貯蔵できるからである。
【００６３】
上記したα−アミラーゼ変異体を補うものとして、本発明に従った使用に好ましい洗浄剤は、プロテアーゼ、好ましくはサブチリシンプロテアーゼを含有する。サブチリシンプロテアーゼは、野生型プロテアーゼまたはプロテアーゼ変異体であり、プロテアーゼ変異体は、好ましくは、Bacillus lentusからのアルカリ・プロテアーゼに対応できる出発プロテアーゼと比較して、Bacillus lentusからのアルカリ・プロテアーゼのリストにおける以下の位置の１つ以上にアミノ酸変化を有するものである：３、４、３６、４２、４３、４７、５６、６１、６９、８７、９６、９９、１０１、１０２、１０４、１１４、１１８、１２０、１３０、１３９、１４１、１４２、１５４、１５７、１８８、１９３、１９９、２０５、２１１、２２４、２２９、２３６、２３７、２４２、２４３、２５０、２５３、２５５および２６８。
【００６４】
加えて、リパーゼまたはクチナーゼも、特に、それらのトリグリセリド切断活性だけでなく、適当な前駆体からのインサイチューでの過酸の生成の故に、本発明に従って使用してよい。これらは例えば、Humicola lanuginosa（Thermomyces lanuginosus）から最初に入手できたリパーゼ、および／または更に開発されたリパーゼ、特にアミノ酸交換Ｄ９６Ｌを有するリパーゼを包含する。更に、Fusarium solai pisiおよびHumicola insolensから最初に分離されたクチナーゼも使用してよい。更に、出発酵素がPseudomonas mendocinaおよびFusarium solaniiから最初に分離されたリパーゼおよび／またはクチナーゼも使用してよい。
【００６５】
加えて、用語ヘミセルラーゼでまとめられている酵素も使用してよい。これらは例えば、マンナーゼ、キサンタンリアーゼ、ペクチンリアーゼ（＝ペクチナーゼ）、ペクチンエステラーゼ、ペクチン酸リアーゼ、キシログルカナーゼ（＝キシラナーゼ）、プルラナーゼおよびβ−グルカナーゼを包含する。
【００６６】
漂白効果を増すため、オキシドリダクターゼ、例えば、オキシダーゼ、オキシゲナーゼ、カタラーゼ、ペルオキシダーゼ、例えば、ハロペルオキシダーゼ、クロロペルオキシダーゼ、ブロモペルオキシダーゼ、リグニンペルオキシダーゼ、グルコースペルオキシダーゼまたはマンガンペルオキシダーゼ、ジオキシゲナーゼまたはラッカーゼ（フェノールオキシダーゼ、ポリフェノールオキシダーゼ）も、本発明に従って使用してよい。加えて、個々のオキシドリダクターゼの活性を増す（増強する）ため（増強剤）、または酸化酵素と汚れとの間の酸化還元電位に大きな差が存在するとき、電子流を確実にするため（メディエータ）、好ましくは有機化合物、特に好ましくは酵素と相互作用する芳香族化合物を、有利には添加してよい。
【００６７】
酵素は、従来技術に従って確立されたあらゆる形態で使用してよい。それらは、例えば、造粒、押出または凍結乾燥により得られる固体状製剤、或いは液体状製剤またはゼラチン状製剤の場合は特に、含水量が低いおよび／または安定剤と混合された酵素溶液、有利には可能な限り濃縮されたものを包含する。
【００６８】
別の態様として、液体および固体の適用形態の両方について、酵素は、例えば、好ましい天然ポリマーと一緒に酵素溶液を噴霧乾燥または押出することにより、或いは酵素がその中に封入されるカプセルとして、例えば、固化ゲル内に、若しくは酵素含有コアが水、空気および／または化学物質に対して不浸透性の保護層で被覆されるコア−シェル型カプセル内に、被包され得る。重ねた層には、他の活性成分、例えば、安定剤、乳化剤、顔料、漂白剤または染料も適用できる。そのようなカプセルは、本質的に知られている方法により、例えば、振盪造粒または回転造粒により、或いは流動床法により適用される。そのような顆粒は、有利には、例えばポリマーフィルム形成剤の適用の故に微粉負荷量が低く、被膜の故に貯蔵安定である。
【００６９】
加えて、個々の顆粒が複数の酵素活性を含むように、２種以上の酵素を一緒に加工することも可能である。
【００７０】
タンパク質および／または酵素を、例えば貯蔵中の不活性化、変性または分解による、例えば物理的影響、酸化またはタンパク質分解的切断による、損傷から保護できる。タンパク質および／または酵素の微生物による製造方法において、とりわけ製剤がプロテアーゼも含有するとき、タンパク質分解を阻害することが特に好ましい。この目的のため、洗剤または洗浄剤は、そのような製剤が本発明の好ましい態様を構成する場合には、安定剤を含有してよい。
【００７１】
本発明の製剤中に含有されるタンパク質および／または酵素を、特に貯蔵中、例えば物理的影響、酸化またはタンパク質分解的切断による、不活性化、変性または分解のような損傷から保護できる。タンパク質および／または酵素の微生物による製造方法において、とりわけ製剤がプロテアーゼも含有するとき、タンパク質分解を阻害することが特に好ましい。好ましい本発明の製剤は、この目的のために安定剤を含有する。
【００７２】
安定剤の一群は、可逆的プロテアーゼ阻害剤を包含する。ベンズアミジン塩酸塩、ホウ砂、ホウ酸、ボロン酸、或いはそれらの塩またはエステルを、しばしば、この目的のために使用し、それらは、とりわけ、芳香族基含有誘導体、例えば、オルト−、メタ−またはパラ−置換フェニルボロン酸、特に、４−ホルミルフェニルボロン酸および／または上記化合物の塩またはエステルを包含する。ペプチドアルデヒド、即ち還元Ｃ末端含有オリゴペプチド、特に２〜５０のモノマーを含んでなるものを、この目的のために使用する。とりわけ、ペプチド可逆性プロテアーゼ阻害剤は、オボムコイドおよびロイペプチンを包含する。プロテアーゼサブチリシン並びにプロテアーゼ融合タンパク質のための特異的な可逆性ペプチド阻害剤、および特定のペプチド阻害剤が、この目的のために適している。
【００７３】
他の酵素安定剤は、モノ−、ジ−、トリエタノールアミンおよび−プロパノールアミンのようなアミノアルコールおよびそれらの混合物、コハク酸のようなＣ１２までの脂肪族カルボン酸、他のジカルボン酸、または上記した酸の塩である。末端基キャップ脂肪酸アミドアルコキシレートもまた、この目的のために適している。ビルダーとして使用されるある種の有機酸は、ＷＯ  ９７／１８２８７に記載されているように、酵素成分を付加的に安定化できる。
【００７４】
低級脂肪族アルコール、特にポリオール、例えば、グリセロール、エチレングリコール、プロピレングリコール、またはソルビトールが、しばしば使用される更なる酵素安定剤である。ジグリセロールホスフェートは、物理的影響による変性を防ぐ。同様に、カルシウム塩および／またはマグネシウム塩、例えば酢酸カルシウムまたはギ酸カルシウムも使用される。
【００７５】
ポリアミドオリゴマーまたはポリマー化合物、例えばリグニン、水溶性ビニルコポリマーまたはセルロースエーテル、アクリルポリマーおよび／またはポリアミドは、特に、物理的影響またはｐＨ変動に対して、酵素製剤を安定化する。ポリアミンＮ−オキシド含有ポリマーは、酵素安定剤としておよび色移り阻害剤として同時に機能する。他のポリマー安定剤は、直鎖Ｃ８〜Ｃ１８ポリオキシアルキレンを包含する。アルキルポリグリコシドも、本発明の製剤の酵素成分を安定化でき、好ましくは酵素成分の有効性を付加的に増すことができる。窒素含有架橋化合物は、好ましくは、汚れ分離剤としておよび酵素安定剤としての二重の機能を備える。疎水性非イオン性ポリマーは、特にセルラーゼを安定化し、場合により存在してもよい。
【００７６】
還元剤および酸化防止剤は、酸化分解に対する酵素の安定性を増す。例えば、イオウ含有還元剤を、この目的のために一般に使用する。他の例は、亜硫酸ナトリウムおよび還元糖を包含する。
【００７７】
安定剤の組み合わせ、例えば、ポリオール、ホウ酸および／またはホウ砂の組み合わせ、ホウ酸またはボレート、還元塩およびコハク酸または他のジカルボン酸の組み合わせ、或いはホウ酸またはボレートとポリオールまたはポリアミノ化合物と還元塩との組み合わせは、特に好ましく使用される。ペプチドアルデヒド安定剤の効果は、有利には、ホウ酸および／またはホウ酸誘導体とポリオールとを組み合わせることにより、更に二価カチオン、例えばカルシウムイオンの付加的効果により高まる。
【００７８】
硫酸カリウム（Ｋ２ＳＯ４）は、酵素製剤を安定化するために特に好ましく使用される他の製剤である。
【００７９】
先に記載したように、液体状洗浄剤Ａの総重量中の酵素の量は、０．１重量％〜１０重量％である。特に好ましい配合物では、洗浄剤Ａの総重量中の酵素の量は、０．２重量％〜９重量％、とりわけ０．５重量％〜８重量％である。
【００８０】
もちろん液体状洗浄剤Ｂも酵素を含有してよいが、洗浄剤Ｂの酵素含有量は、２重量％未満、好ましくは１重量％未満、特に好ましくは０．５重量％未満、とりわけ０．１重量％未満であることが好適である。特に好ましい本発明の方法は、液体状洗浄剤Ｂが酵素を含有しないことを特徴とする。
【００８１】
好ましくは１種以上の酵素および／または酵素製剤、特に固体状または液体状プロテアーゼ製剤および／またはアミラーゼ製剤を使用する。特に好ましい態様では、液体状洗浄剤Ａは、プロテアーゼ製剤とアミラーゼ製剤との組み合わせを含有する。
【００８２】
付加的成分として、本発明の方法に使用される洗浄剤ＡおよびＢは、溶媒を含有する。最も単純な態様では、この溶媒は水のみである。好ましい方法は、液体状洗浄剤Ａおよび／または液体状洗浄剤Ｂが溶媒として水を含有する方法である。
【００８３】
意外にも、本発明の方法において、有機溶媒を添加することにより洗浄能力を改善できることが見出された。従って、本特許出願の好ましい対象は、洗浄剤ＡまたはＢの少なくとも１つが有機溶媒を含有し、有機溶媒を、単独で、複数の有機溶媒の混合物として、または１種以上の有機溶媒と水との混合物として使用できる、本発明の方法である。
【００８４】
好ましい有機溶媒は、例えば、モノアルコール、ジオール、トリオールおよび／またはポリオール、エーテル、エステルおよび／またはアミドの群に由来する。本発明では、水溶性である有機溶媒が特に好ましい。本特許出願の意味で「水溶性」溶媒は、室温で水と完全に混和できる、即ち混和性ギャップを有さない溶媒である。
【００８５】
本発明の方法に使用できる有機溶媒は、好ましくは、記載した濃度範囲で水と混和性であるならば、一価または多価アルコール、アルカノールアミンまたはグリコールエーテルの群に由来する。溶媒は、好ましくは、エタノール、ｎ−またはイソプロパノール、ブタノール、グリコール、プロパンジオールまたはブタンジオール、グリセロール、ジグリコール、プロピルまたはブチルジグリコール、へキシレングリコール、エチレングリコールメチルエーテル、エチレングリコールエチルエーテル、エチレングリコールプロピルエーテル、エチレングリコールモノ−ｎ−ブチルエーテル、ジエチレングリコールメチルエーテル、ジエチレングリコールエチルエーテル、プロピレングリコールメチル、エチルまたはプロピルエーテル、ジプロピレングリコールメチルまたはエチルエーテル、メトキシ、エトキシまたはブトキシトリグリコール、１−ブトキシエトキシ−２−プロパノール、３−メチル−３−メトキシブタノール、プロピレングリコール−ｔ−ブチルエーテル、およびこれら溶媒の混合物から選択される。
【００８６】
有機アミンおよび／またはアルカノールアミンの群からの有機溶媒が、洗浄能力に関して、本発明においては漂白可能な汚れ、特に茶による汚れに対する洗浄能力に関して、とりわけ効果的であることが分かった。
【００８７】
好ましい有機アミンは、特に、第一級および第二級のアルキルアミン、アルキレンアミン、並びにこれら有機アミンの混合物である。モノメチルアミン、モノエチルアミン、モノプロピルアミン、モノブチルアミン、モノペンチルアミンおよびシクロヘキシルアミンが、好ましい第一級アミンの群に属する。特にジメチルアミンが好ましい第二級アルキルアミンの群に属する。
【００８８】
好ましいアルカノールアミンは、特に、第一級、第二級および第三級アルカノールアミン、並びにそれらの混合物を包含する。特に好ましい第一級アルカノールアミンは、モノエタノールアミン（２−アミノエタノール、ＭＥＡ）、モノイソプロパノールアミン、ジエチルエタノールアミン（２−（ジエチルアミノ）エタノール）である。特に好ましい第二級アルカノールアミンは、ジエタノールアミン（２，２’−イミノジエタノール、ＤＥＡ、ビス（２−ヒドロキシエチル）アミン）、Ｎ−メチルジエタノールアミン、Ｎ−エチルジエタノールアミン、ジイソプロパノールアミンおよびモルホリンである。特に好ましい第三級アルカノールアミンは、トリエタノールアミンおよびトリイソプロパノールアミンである。
【００８９】
本発明の方法の特に有効な変法は、液体状洗浄剤Ａおよび／または液体状洗浄剤Ｂが有機溶媒の群からの溶媒を含有し、有機溶媒が好ましくは有機アミンおよび／またはアルカノールアミン、好ましくはエタノールアミンであることを特徴とする。
【００９０】
洗浄剤Ａおよび／またはＢが有機アミンに加えて水も含有するならば、洗浄剤ＡまたはＢ中の水と有機アミンおよび／またはアルカノールアミンとの重量比が１：１超、好ましくは２：１超、特に５：１超である、本発明の方法が好ましい。
【００９１】
本特許出願のもう１つの対象は、漂白可能な汚れを洗浄するため、好ましくは硬質表面上の茶による汚れを洗浄するための、本発明の方法における有機アミン、特に上記した有機アミンおよび／またはアルカノールアミンの使用である。
【００９２】
特に好ましい洗浄剤Ａおよび／またはＢは、各々の洗浄剤の総重量に基づいて、０．１重量％〜１０重量％、好ましくは０．５重量％〜８重量％、特に１．５重量％〜６重量％の、有機アミンおよびアルカノールアミンの群からの有機溶媒を含有するものである。本発明の方法では、液体状洗浄剤Ｂが、洗浄剤Ｂの総重量に基づいて０．１重量％〜１０重量％、好ましくは０．５重量％〜８重量％、特に１．５重量％〜６重量％の量の有機アミンおよびアルカノールアミンの群からの有機溶媒を含有し、一方、液体状洗浄剤Ａ中の有機アミンおよびアルカノールアミンの群からの有機溶媒の量が、洗浄剤Ａの総重量に基づいて、好ましくは５重量％未満、特に３重量％未満、特に好ましくは１重量％未満、最も好ましくは０．１重量％未満であり、とりわけ、有機アミンおよびアルカノールアミンの群からの有機溶媒は、洗浄剤Ａ中に存在しない。
【００９３】
本発明の洗浄方法の過程における洗浄剤の計量供給に関しては、１０，０００ｍＰａｓ超、好ましくは５０，０００ｍＰａｓ超、特に１００，０００ｍＰａｓ超の粘度を有する洗浄剤が有利であることが分かった。
【００９４】
従って、本発明の好ましい方法は、洗浄剤ＡまたはＢの少なくとも１つの粘度（ブルックフィールド粘度計  LVT-II、２０ｒｐｍおよび２０℃、スピンドル３）が、２００ｍＰａｓ〜１０，０００ｍＰａｓ、好ましくは５００ｍＰａｓ〜７０００ｍＰａｓ、特に１０００ｍＰａｓ〜４０００ｍＰａｓである方法である。特に好ましい洗剤または洗浄剤の粘度（ブルックフィールド粘度計  LVT-II、２０ｒｐｍおよび２０℃、スピンドル３）は、５００ｍＰａｓ超、好ましくは１０００ｍＰａｓ超、特に２０００ｍＰａｓ超である。
【００９５】
洗浄剤の所望の粘度を達成するために、好ましくは洗浄剤に増粘剤、特に下記群からの増粘剤を添加する：寒天、カラギーン、トラガカントゴム、アラビアゴム、アルギネート、ペクチン、ポリオース、グアー粉、イナゴマメ粉、デンプン、デキストリン、ゼラチン、カゼイン、カルボキシメチルセルロース、イナゴマメゴムエーテル、ポリアクリルおよびポリメタクリル化合物、ビニルポリマー、ポリカルボン酸、ポリエーテル、ポリイミン、ポリアミド、ポリケイ酸、粘土鉱物、例えば、モンモリロナイト、ゼオライトおよびケイ酸。洗浄剤が、洗浄剤の総重量に基づいて０．１重量％〜８重量％、好ましくは０．２重量％〜６重量％、特に好ましくは０．４重量％〜４重量％の量で増粘剤を含有する場合が、特に有利であることが分かった。
【００９６】
本発明において増粘剤として使用できる天然起源ポリマーは、例えば、上記したような、寒天、カラギーナン、トラガカントゴム、アラビアゴム、アルギネート、ペクチン、ポリオース、グアー粉、イナゴマメ粉、デンプン、デキストリン、ゼラチンおよびカゼインを包含する。
【００９７】
変性天然物質は、主に、変性デンプンおよびセルロース、例えば、カルボキシメチルセルロースおよび他のセルロースエーテル、ヒドロキシエチルセルロースおよびヒドロキシプロピルセルロース並びにイナゴマメゴムエーテルの群に由来する。
【００９８】
様々な応用分野で広く使用される増粘剤の群は、ポリアクリル化合物およびポリメタクリル化合物、ビニルポリマー、ポリカルボン酸、ポリエーテル、ポリイミン、ポリアミドおよびポリウレタンのような完全合成ポリマーを包含する。これらの種類の物質からの増粘剤は、広く市販されており、例えば以下の商標名で販売されている：Acusol（登録商標）820（メタクリル酸（ステアリルアルコール２０−ＥＯ）エステル−アクリル酸コポリマー、水中３０％、Rohm & Haas）、Dapral（登録商標）GT-282-S（アルキルポリグリコールエーテル、Akzo）、Deuterol（登録商標）Polymer 11（ジカルボン酸コポリマー、Schoener GmbH）、Deuteron（登録商標）XG（β−Ｄ−グルコース、Ｄ−マンノース、Ｄ−グルクロン酸に基づいたアニオン性ヘテロ多糖類、Schoener GmbH）、Deuteron（登録商標）XN（非イオン性多糖類、Schoener GmbH）、Dicrylan（登録商標）thickener O（エチレンオキシド付加物、水／イソプロパノール中５０％、Pfersse Chemie）、EMA（登録商標）81およびEMA（登録商標）91（エチレン−無水マレイン酸コポリマー、Monsanto）、thickener QR 1001（ポリウレタンエマルション、水／ジグリコールエーテル中１９〜２１％、Rohm & Haas）、Mirox（登録商標）AM（アニオン性アクリル酸−アクリル酸エステルコポリマー分散体、水中２５％、Stockhausen）、SER-AD-FX 1100（疎水性ウレタンポリマー、Servo Delden）、Shellflo（登録商標）S（ホルムアルデヒドで安定化された高分子多糖類、Shell）、およびShellflo（登録商標）XA（ホルムアルデヒドで安定化されたキサンタンバイオポリマー、Shell）。
【００９９】
本発明の洗浄剤は、漂白剤を含有してもよい。洗浄剤ＡおよびＢの漂白剤含有量に関して、２つの好ましい含有量が異なっていてもよい。
【０１００】
第一の好ましい態様では、液体状洗浄剤ＡおよびＢの漂白剤含有量は、低く、好ましくは２重量％未満の量で選択される。本発明の方法を実施することにより、かつ漂白剤含有量が低い洗浄剤を使用することにより、意外にも、漂白剤含有洗浄剤を用いて達成される洗浄能力に匹敵する洗浄能力が達成できた。しかしながら、漂白剤を除外することにより製造コストが低下すると同時に、配合に関する自由度は増した。
【０１０１】
この理由から、洗浄剤ＡおよびＢの漂白剤含有量が各々２重量％未満、好ましくは１重量％未満、特に０．５重量％未満、とりわけ０．１重量％未満であることを特徴とする、本発明の方法が好ましい。洗浄剤ＡおよびＢが漂白剤を含有しない、本発明の方法が特に好ましい。
【０１０２】
第二の好ましい態様では、洗浄剤Ａおよび／またはＢは漂白剤を含有し、洗浄剤Ｂが０．１重量％〜１５重量％の漂白剤含有量を有する方法が特に好ましい。好ましい方法は、洗浄剤Ｂの漂白剤含有量が、洗浄剤Ｂの総重量に各々基づいて、０．５重量％〜１５重量％、好ましくは２．０重量％〜１５重量％、特に好ましくは３重量％〜１２重量％、とりわけ５重量％〜１０重量％であることを特徴とする。この態様において、洗浄剤Ａの漂白剤含有量は、好ましくは２重量％未満、特に１重量％未満、好適には０．５重量％未満、とりわけ０．１重量％未満である。特に好ましい方法は、洗浄剤Ａが漂白剤を含有しないことを特徴とする。
【０１０３】
Ｈ２Ｏ２に加えて、水中でＨ２Ｏ２を生じる化合物、即ち、過炭酸ナトリウム、過ホウ酸ナトリウム四水化物、および過ホウ酸ナトリウム一水化物が、漂白剤の群に属する。他の漂白剤は、例えば、過ピロリン酸塩、クエン酸塩過水和物、およびＨ２Ｏ２を供給する過酸塩、または過酸、例えば、過安息香酸塩、過フタル酸塩、ジペルアゼライン酸、フタロイミノ過酸またはジペルドデカン二酸を包含する。
【０１０４】
典型的な有機漂白剤は、ジアシルパーオキシド、例えばジベンゾイルパーオキシドを包含する。他の典型的な有機漂白剤は過酸を包含し、アルキル過酸およびアリール過酸が例として特に挙げられる。好ましい例は、（ａ）過安息香酸およびその環置換誘導体、例えばアルキル過安息香酸、並びにペルオキシ−α−ナフトエ酸およびモノペルフタル酸マグネシウム、（ｂ）脂肪族または置換脂肪族過酸、例えば、過ラウリン酸、過ステアリン酸、ε−フタルイミド過カプロン酸（フタルイミノ過ヘキサン酸（ＰＡＰ））、ｏ−カルボキシベンズアミド過カプロン酸、Ｎ−ノネニルアミド過アジピン酸およびＮ−ノネニルアミド過コハク酸塩、並びに（ｃ）脂肪族および芳香脂肪族ペルオキシジカルボン酸、例えば、１，１２−ジペルオキシカルボン酸、１，９−ジペルオキシアゼライン酸、ジペルオキシセバシン酸、ジペルオキシブラシル酸、ジペルオキシフタル酸、２−デシルジペルオキシブタン−１，４−二酸、Ｎ，Ｎ−テレフタロイル−ジ−（６−アミノ過カプロン酸）を包含する。
【０１０５】
洗浄剤Ａおよび／またはＢが漂白剤を含有するならば、６０℃以下の温度での洗浄において改善された漂白効果を達成するために、漂白活性剤も好ましくは添加する。使用できる漂白活性剤は、過加水分解条件下で、好ましくは１〜１０個の炭素原子、特に２〜４個の炭素原子を含有する脂肪族過カルボン酸、および／または任意に置換されていてよい過安息香酸を生じる化合物を包含する。上記した数の炭素原子を含有するＯ−アシル基および／またはＮ−アシル基、および／または任意に置換されていてよいベンゾイル基を有する物質も適している。ポリアシル化アルキレンジアミン、特にテトラアセチルエチレンジアミン（ＴＡＥＤ）、アシル化トリアジン誘導体、特に１，５−ジアセチル−２，４−ジオキソヘキサヒドロ−１，３，５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホネート、特にｎ−ノナノイルオキシベンゼンスルホネートまたはイソノナノイルオキシベンゼンスルホネート（ｎ−ＮＯＢＳまたはイソ−ＮＯＢＳ）、カルボン酸無水物、特にフタル酸無水物、アシル化多価アルコール、特にトリアセチン、エチレングリコールジアセテートおよび２，５−ジアセトキシ−２，５−ジヒドロフランが好ましい。
【０１０６】
本発明において好ましく使用される他の漂白活性剤は、カチオン性ニトリル、特に式：
【化６】
2009540897.tif 000007
［式中、Ｒ１は、Ｈ、ＣＨ３、Ｃ２〜２４アルキルまたはアルケニル基、群Ｃｌ、Ｂｒ、ＯＨ、ＮＨ２、ＣＮからの少なくとも１つの置換基を含有する置換Ｃ２〜２４アルキルまたはアルケニル基、Ｃ１〜２４アルキル基含有アルキルまたはアルケニルアリール基を表すか、或いは芳香環上にＣ１〜２４アルキル基と少なくとも１つの更なる置換基とを含有する置換アルキルまたはアルケニルアリール基を表し、Ｒ２およびＲ３は、相互に独立に、-CH2-CN、-CH3、-CH2-CH3、-CH2-CH2-CH3、-CH(CH3)-CH3、-CH2-OH、-CH2-CH2-OH、-CH(OH)-CH3、-CH2-CH2-CH2-OH、-CH2-CH(OH)-CH3、-CH(OH)-CH2-CH3、-(CH2CH2-O)nH（ここで、ｎ＝１、２、３、４、５または６）から選択され、Ｘはアニオンである。］
で示されるカチオン性ニトリルの群からの化合物を包含する。
【０１０７】
式：
【化７】
2009540897.tif 000008
［式中、Ｒ４、Ｒ５およびＲ６は、相互に独立に、-CH3、-CH2-CH3、-CH2-CH2-CH3、-CH(CH3)-CH3から選択され、Ｒ４はＨであってもよく、Ｘはアニオンであり、好ましくはＲ５＝Ｒ６＝−ＣＨ３、特にＲ４＝Ｒ５＝Ｒ６＝−ＣＨ３である。］
で示されるカチオン性ニトリルが特に好ましい。式：(CH3)3N(+)CH2-CH X-、(CH3CH2)3N(+)CH2-CN X-、(CH3CH2CH2)3N(+)CH2-CN X-、(CH3CH(CH3))3N(+)CH2-CN X-または(HO-CH2-CH2)3N(+)CH2-CN X-で示される化合物がとりわけ好ましい。これらの物質の群のうち、式：(CH3)3N(+)CH2-CN X-［式中、Ｘ−は、塩化物イオン、臭化物イオン、ヨウ化物イオン、重硫酸イオン、メトスルフェートイオン、ｐ−トルエンスルホナトイオン（トシレートイオン）、またはキシレンスルホナトイオンの群から選択されるアニオンを表す。］
で示されるカチオン性ニトリルが特に好ましい。
【０１０８】
漂白活性剤は、過加水分解条件下で、好ましくは１〜１０個の炭素原子、特に２〜４個の炭素原子を含有する脂肪族過カルボン酸、および／または任意に置換されていてよい過安息香酸を生じる化合物であり得る。適当な物質は、上記した数の炭素原子を含有するＯ−アシル基および／またはＮ−アシル基、および／または任意に置換されていてよいベンゾイル基を有する物質である。ポリアシル化アルキレンジアミン、特にテトラアセチルエチレンジアミン（ＴＡＥＤ）、アシル化トリアジン誘導体、特に１，５−ジアセチル−２，４−ジオキソヘキサヒドロ−１，３，５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホネート、特にｎ−ノナノイルオキシベンゼンスルホネートまたはイソノナノイルオキシベンゼンスルホネート（ｎ−ＮＯＢＳまたはイソ−ＮＯＢＳ）、カルボン酸無水物、特にフタル酸無水物、アシル化多価アルコール、特にトリアセチン、エチレングリコールジアセテート、２，５−ジアセトキシ−２，５−ジヒドロフラン、ｎ−メチルモルホリニウムアセトニトリルメチルスルフェート（ＭＭＡ）、並びにアセチル化ソルビトールおよびマンニトールおよび／またはそれらの混合物（ＳＯＲＭＡＮ）、アシル化糖誘導体、特に、ペンタアセチルグルコース（ＰＡＧ）、ペンタアセチルフルクトース、テトラアセチルキシロースおよびオクタアセチルラクトース、並びにアシル化、任意にＮ−アルキル化グルカミンおよびグルコノラクトンおよび／またはＮ−アシル化ラクタム、例えば、Ｎ−ベンゾイルカプロラクタムが好ましい。親水性置換基を含有するアシルアセタールおよびアシルラクタムも使用するのに好ましい。通常の漂白活性剤の組み合わせも使用してよい。
【０１０９】
ニトリルクォートに加えて更なる漂白活性剤を使用するならば、好ましくは、下記群からの好ましい漂白活性剤を使用する：ポリアシル化アルキレンジアミン、特にテトラアセチルエチレンジアミン（ＴＡＥＤ）、Ｎ−アシルイミド、特にＮ−ノナノイルスクシンイミド（ＮＯＳＩ）、アシル化フェノールスルホネート、特にｎ−ノナノイルオキシベンゼンスルホネートまたはイソノナノイルオキシベンゼンスルホネート（ｎ−ＮＯＢＳまたはイソ−ＮＯＢＳ）、ｎ−メチルモルホリニウムアセトニトリルメチルスルフェート（ＭＭＡ）。
【０１１０】
通常の漂白活性剤に代えてまたは加えて、いわゆる漂白触媒も使用してよい。これらの物質は、漂白効果を増強する遷移金属塩および／または遷移金属錯体、例えば、Ｍｎ−、Ｆｅ−、Ｃｕ−、Ｒｕ−またはＭｏ−塩錯体またはカルボニル錯体である。Ｎ含有三脚型配位子を含むＭｎ、Ｆｅ、Ｃｏ、Ｒｕ、Ｍｏ、Ｔｉ、ＶおよびＣｕ錯体、並びにＣｏ−、Ｆｅ−、Ｃｕ−およびＲｕ−アンミン錯体も、漂白触媒として使用してよい。
【０１１１】
特に中心原子Ｍｎ、Ｆｅ、Ｃｏ、Ｃｕ、Ｍｏ、Ｖ、Ｔｉおよび／またはＲｕを有する、漂白増強遷移金属錯体、好ましくはマンガンおよび／またはコバルトの塩および／または錯体、特に好ましくはコバルト（アンミン）錯体、コバルト（アセテート）錯体、コバルト（カルボニル）錯体、コバルトまたはマンガンの塩化物、硫酸マンガンの群から選択されるものを使用する。
【０１１２】
塩素漂白剤は、本発明の方法における使用に特に有効であることが分かった。これらの漂白剤の群は、例えば、複素環式Ｎ−ブロモアミドおよびＮ−クロロアミド、例えば、トリクロロイソシアヌール酸、トリブロモイソシアヌール酸、ジブロモイソシアヌール酸および／またはジクロロイソシアヌール酸（ＤＩＣＡ）および／またはそれらのカチオン（例えばカリウムおよびナトリウム）との塩を包含する。１，３−ジクロロ−５，５−ジメチルヒダントインのようなヒダントイン化合物も、これらの漂白剤の群に属する。
【０１１３】
洗浄剤Ｂが０．１重量％〜２０重量％の塩素漂白剤を含有する、本発明の方法が好ましい。従って、本特許出願の好ましい対象はまた、予備濯ぎサイクルおよび洗浄サイクルを含む食器洗い機での食器の機械洗浄方法であって、組成：
Ａ：１０〜７５重量％のビルダー、
０．１〜１０重量％の酵素、
２４．９〜８９．９重量％の溶媒、および
Ｂ：１０〜７４．９重量％のビルダー、
２５〜８９．９重量％の溶媒、
０．１〜１５重量％の塩素漂白剤
を有する２種の液体状洗浄剤ＡおよびＢを、２つの逐次的な時間ｔ１およびｔ２に食器洗い機内部に計量供給し、液体状洗浄剤ＡがｐＨ６〜９（２０℃）を有し、時間ｔ１に計量供給され、一方、液体状洗浄剤ＢがｐＨ９〜１４（２０℃）を有し、時間ｔ２に計量供給される、方法である。
【０１１４】
上記した本発明の製剤は、上記した成分に加えて、他の活性洗剤および活性洗浄物質、好ましくは、界面活性剤、ポリマー、漂白活性剤、ガラス腐蝕防止剤、腐蝕防止剤、崩壊剤、香料および芳香賦形剤、着色剤および防腐剤の群からの活性洗剤および活性洗浄物質も含有してよい。これらの好ましい成分を、以下により詳細に示す。
【０１１５】
界面活性剤の群は、非イオン性、アニオン性、カチオン性および両性界面活性剤を包含する。
【０１１６】
使用できる非イオン性界面活性剤は、当業者によく知られている非イオン性界面活性剤の全てを包含する。適当な非イオン性界面活性剤は、例えば、一般式：ＲＯ（Ｇ）ｘ［式中、Ｒは、８〜２２個の炭素原子、好ましくは１２〜１８個の炭素原子を含有する、直鎖またはメチル分枝、特に２位メチル分枝の第一級脂肪族基であり、Ｇは、５または６個の炭素原子を含有するグリコース単位、好ましくはグルコースを表す記号である。］で示されるアルキルグリコシドを包含する。モノグリコシドおよびオリゴグリコシドの分布を表すオリゴマー化度ｘは、１〜１０の数であってよい。好ましくは、ｘは１．２〜１．４である。
【０１１７】
単独の非イオン性界面活性剤として或いは他の非イオン性界面活性剤と組み合わせて使用される、本発明における使用に好ましい非イオン性界面活性剤の他の種類は、アルキル鎖中に好ましくは１〜４個の炭素原子を含有する、アルコキシル化された、好ましくはエトキシル化された、またはエトキシル化かつプロポキシル化された、脂肪酸アルキルエステルを包含する。
【０１１８】
アミンオキシドタイプの非イオン性界面活性剤、例えばＮ−ココアルキル−Ｎ，Ｎ−ジメチルアミンオキシドおよびＮ−獣脂アルキル−Ｎ，Ｎ−ジヒドロキシエチルアミンオキシド、並びに脂肪酸アルカノールアミドも好適であり得る。非イオン性界面活性剤の量は、好ましくは、エトキシル化脂肪アルコールの量以下、特にその半分以下である。
【０１１９】
別の好適な界面活性剤は、式：
【化８】
2009540897.tif 000009
［式中、Ｒは、６〜２２個の炭素原子を含有する脂肪族アシル基を表し、Ｒ１は、水素、１〜４個の炭素原子を含有するアルキルまたはヒドロキシアルキル基を表し、［Ｚ］は３〜１０個の炭素原子と３〜１０個のヒドロキシル基とを含有する直鎖または分枝ポリヒドロキシアルキル基を表す。］
で示されるポリヒドロキシ脂肪酸アミドを包含する。ポリヒドロキシ脂肪酸アミドは既知の物質であり、通常、還元糖を、アンモニア、アルキルアミンまたはアルカノールアミンで還元的アミノ化し、その後、脂肪酸、脂肪酸アルキルエステルまたは脂肪酸クロリドでアシル化することにより得ることができる。
【０１２０】
また、ポリヒドロキシ脂肪酸アミドの群は、式：
【化９】
2009540897.tif 000010
［式中、Ｒは、７〜１２個の炭素原子を含有する直鎖または分枝アルキルまたはアルケニル基を表し、Ｒ１は、２〜８個の炭素原子を含有する直鎖、分枝または環状アルキル基或いはアリール基を表し、Ｒ２は、１〜８個の炭素原子を含有する直鎖、分枝もしくは環状アルキル基またはアリール基またはオキシアルキル基を表し（この場合、Ｃ１〜４−アルキル基またはフェニル基が好ましい）、［Ｚ］は、アルキル鎖が少なくとも２つのヒドロキシル基により置換されている直鎖ポリヒドロキシアルキル基、またはこの基のアルコキシル化誘導体、好ましくはエトキシル化もしくはプロポキシル化誘導体を表す。］
で示される化合物も包含する。
【０１２１】
［Ｚ］は、好ましくは、還元糖、例えば、グルコース、フルクトース、マルトース、ラクトース、ガラクトース、マンノースまたはキシロースの還元的アミノ化により得られる。Ｎ−アルコキシ−もしくはＮ−アリールオキシ−置換化合物は、触媒としてのアルコキシドの存在下で脂肪酸メチルエステルと反応させることにより、所望のポリヒドロキシ脂肪酸アミドに転化され得る。
【０１２２】
好ましい界面活性剤は低発泡非イオン性界面活性剤を包含する。洗剤または洗浄剤、特に機械による食器洗い用の洗浄剤は、とりわけ好ましくは、アルコキシル化アルコールの群からの非イオン性界面活性剤を含有する。好ましくは８〜１８個の炭素原子とアルコール１ｍｏｌあたり平均して１〜１２ｍｏｌのエチレンオキシド（ＥＯ）とを含有する、好ましくはアルコキシル化された、有利にはエトキシル化された、特に第一級のアルコールを非イオン性界面活性剤として使用する。そのアルコール基は、直鎖または好ましくは２位メチル分枝であってよく、および／またはオキソアルコール基に通常見られるように直鎖基とメチル分枝基とを混合して有していてもよい。しかしながら、１２〜１８個の炭素原子を含有する天然起源アルコール、例えば、ココナツアルコール、パームアルコール、獣脂アルコールまたはオレイルアルコールからの直鎖基と、アルコール１ｍｏｌあたり平均して２〜８ｍｏｌのＥＯとを含有するアルコールエトキシレートが特に好ましい。好ましいエトキシル化アルコールは、例えば、３ＥＯまたは４ＥＯ含有Ｃ１２〜１４アルコール、７ＥＯ含有Ｃ９〜１１アルコール、３ＥＯ、５ＥＯ、７ＥＯまたは８ＥＯ含有Ｃ１３〜１５アルコール、３ＥＯ、５ＥＯまたは７ＥＯ含有Ｃ１２〜１８アルコール、およびそれらの混合物、例えば３ＥＯ含有Ｃ１２〜１４アルコールと５ＥＯ含有Ｃ１２〜１８アルコールとの混合物を包含する。上記したエトキシル化度は、特定の生成物に対して整数または分数であり得る統計的平均値である。好ましいアルコールエトキシレートは狭い同族体分布を有する（狭範囲エトキシレート、ＮＲＥ）。これらの非イオン性界面活性剤の他に、１２を超えるＥＯを含有する脂肪アルコールを使用することもできる。その例は、１４ＥＯ、２５ＥＯ、３０ＥＯまたは４０ＥＯを含有する獣脂脂肪アルコールを包含する。
【０１２３】
従って、エトキシル化非イオン性界面活性剤、例えば、Ｃ６〜２０モノヒドロキシアルカノールまたはＣ６〜２０アルキルフェノールまたはＣ１６〜２０脂肪アルコールと、アルコール１ｍｏｌあたり１２ｍｏｌ超、好ましくは１５ｍｏｌ超、特に２０ｍｏｌ超のエチレンオキシドとから得られるエトキシル化非イオン性界面活性剤を、特に好ましくは使用する。とりわけ好適な非イオン性界面活性剤は、１６〜２０個の炭素原子を含有する直鎖脂肪アルコール（Ｃ１６〜２０アルコール）、好ましくはＣ１８アルコールから得られ、少なくとも１２ｍｏｌ、好ましくは少なくとも１５ｍｏｌ、特に少なくとも２０ｍｏｌのエチレンオキシドがとりわけ好適である。これらのうち、いわゆる「狭範囲エトキシレート」が特に好ましい。
【０１２４】
更に、シリコーン抑泡剤と組み合わせて、２０〜３０ＥＯ含有獣脂脂肪アルコールを１種以上含有する界面活性剤が特に好ましい。
【０１２５】
室温より高い融点を有する非イオン性界面活性剤が特に好ましい。２０℃超、好ましくは２５℃超、特に好ましくは２５℃〜６０℃、特に２６．６℃〜４３．３℃の融点を有する非イオン性界面活性剤が特に好ましい。
【０１２６】
上記した温度範囲に融点および／または軟化点を有する適当な非イオン性界面活性剤は、例えば、室温で固体または高粘性であり得る低発泡非イオン性界面活性剤である。室温で高粘性である非イオン性界面活性剤を使用するならば、２０Ｐａ・ｓ超、好ましくは３５Ｐａ・ｓ超、特に４０Ｐａ・ｓ超の粘度を有するのが好ましい。室温でワックス様の粘稠度を有する非イオン性界面活性剤も好ましい。
【０１２７】
アルコキシル化アルコールの群から、特に好ましくは混合アルコキシル化アルコールの群から、とりわけＥＯ−ＡＯ−ＥＯ非イオン性界面活性剤の群からの非イオン性界面活性剤を、特に好ましくは使用する。
【０１２８】
室温で固体である非イオン性界面活性剤は、好ましくは、分子中にプロピレンオキシド単位を含有する。そのようなＰＯ単位は、非イオン性界面活性剤の総分子量の、好ましくは２５重量％まで、特に好ましくは２０重量％まで、とりわけ１５重量％までを構成する。特に好ましい非イオン性界面活性剤は、更にポリオキシエチレン−ポリオキシプロピレンブロックコポリマー単位を含有する、エトキシル化モノヒドロキシアルカノールまたはアルキルフェノールである。そのような非イオン性界面活性剤分子のアルコール部および／またはアルキルフェノール部は、そのような非イオン性界面活性剤の総分子量の、好ましくは３０重量％超、特に好ましくは５０重量％超、とりわけ７０重量％超を構成する。好ましい製剤は、分子中のプロピレンオキシド単位が非イオン性界面活性剤の総分子量の２５重量％まで、好ましくは２０重量％まで、特に１５重量％までを構成する、エトキシル化およびプロポキシル化非イオン性界面活性剤を含有することを特徴とする。
【０１２９】
使用するのに好ましい界面活性剤は、アルコキシル化非イオン性界面活性剤、特にエトキシル化第一級アルコール、およびそれらのより複雑な構造を有する界面活性剤（例えばポリオキシプロピレン／ポリオキシエチレン／ポリオキシプロピレン（（ＰＯ／ＥＯ／ＰＯ）界面活性剤））混合物の群に由来する。そのようなＰＯ／ＥＯ／ＰＯ非イオン性界面活性剤はまた、良好な発泡制御を特徴とする。
【０１３０】
室温より高い融点を有する別の特に好ましい非イオン性界面活性剤は、エチレンオキシド１７ｍｏｌとプロピレンオキシド４４ｍｏｌとを有する、ポリオキシエチレンおよびポリオキシプロピレンの逆ブロックコポリマー７５重量％、並びにトリメチロールプロパンを用いて出発し、トリメチロールプロパン１ｍｏｌあたりエチレンオキシド２４ｍｏｌとプロピレンオキシド９９ｍｏｌとを有する、ポリオキシエチレンおよびポリオキシプロピレンのブロックコポリマー２５重量％を含有する、ポリオキシプロピレン／ポリオキシエチレン／ポリオキシプロピレンブロックポリマー混合物４０％〜７０％を含有する。
【０１３１】
本発明の範囲において、ここでの使用では、交互のエチレンオキシド単位およびアルキレンオキシド単位を含有する低発泡非イオン性界面活性剤が、特に好ましい非イオン性界面活性剤であることが分かった。それらのうち、個々に他の群からのブロックが続く前に、１〜１０のＥＯおよび／またはＡＯ基が互いに結合する、ＥＯ−ＡＯ−ＥＯ−ＡＯブロック含有界面活性剤が好ましい。以下の一般式：
【化１０】
2009540897.tif 000011
［式中、Ｒ１は、直鎖または分枝、飽和または単不飽和またはポリ不飽和Ｃ６〜２４アルキル基またはアルケニル基を示し、各基Ｒ２および／またはＲ３は、相互に独立に、-CH3、-CH2CH3、-CH2CH2-CH3、-CH(CH3)2から選択され、添え字ｗ、ｘ、ｙ、ｚは、相互に独立に、１〜６の整数を表す。］
で示される非イオン性界面活性剤が好ましい。
【０１３２】
上記した式で示される好ましい非イオン性界面活性剤は、対応するアルコールＲ１−ＯＨ並びにエチレンオキシドおよび／またはアルキレンオキシドから既知の方法により合成され得る。上記した式中の基Ｒ１は、アルコールの種類によって変化してよい。天然起源のものを使用するならば、Ｒ１基は、偶数個の炭素原子を含有し、通常、直鎖である。１２〜１８個の炭素原子を含有する天然起源アルコール（例えば、ココナツアルコール、パームアルコール、獣脂アルコールまたはオレイルアルコール）の直鎖基が好ましい。合成起源のものから利用可能なアルコールは、例えば、ゲルベアルコール、或いはオキソアルコール基中に通常存在する基のような混合状態の直鎖基およびメチル分枝基および／または２位メチル分枝基を含有するアルコールを包含する。製剤中に含有される非イオン性界面活性剤に使用されるアルコールがどのように調製されたかにかかわらず、上記した式中のＲ１が６〜２４個の炭素原子、好ましくは８〜２０個の炭素原子、特に好ましくは９〜１５個の炭素原子、とりわけ９〜１１個の炭素原子を含有するアルキル基を表す、非イオン性界面活性剤が好ましい。
【０１３３】
プロピレンオキシドに加えて、特に、ブチレンオキシドが、エチレンオキシド単位に代えて、好ましい非イオン性界面活性剤中に存在するアルキレンオキシド単位として考慮され得る。しかしながら、Ｒ２および／またはＲ３が相互に独立に-CH2CH2-CH3および／または-CH(CH3)2から選択される、他のアルキレンオキシドも適している。Ｒ２および／またはＲ３が-CH3基を表し、ｗおよびｘが相互に独立に３または４の値を表し、ｙおよびｚが相互に独立に１または２の値を表す、上記した式で示される非イオン性界面活性剤が好ましい。
【０１３４】
要約すれば、特に、１〜３のエチレンオキシド単位、続いて１〜４のプロピレンオキシド単位、続いて１〜４のエチレンオキシド単位、続いて１〜４のプロピレンオキシド単位を伴ったＣ９〜１５アルキル基を含有する非イオン性界面活性剤がとりわけ好ましい。これらの界面活性剤は、水溶液中で所望の低粘性を有し、本発明に従って特に好ましく使用され得る。
【０１３５】
好ましい界面活性剤は、一般式：
R1-CH(OH)CH2O-(AO)w-(A'O)x-(A''O)y-(A'''O)z-R2,
［式中、Ｒ１およびＲ２は、相互に独立に、直鎖または分枝、飽和または単不飽和および／またはポリ不飽和Ｃ２〜４０アルキル基またはアルケニル基を表し、Ａ、Ａ’、Ａ’’およびＡ’’’は、相互に独立に、群-CH2CH2-、-CH2CH2-CH2-、-CH2-CH(CH3)-、-CH2-CH2-CH2-CH2-、-CH2-CH(CH3)-CH2-、-CH2-CH(CH2-CH3)-からの基を表し、ｗ、ｘ、ｙおよびｚは、０．５〜９０の値を表し、ｘ、ｙおよび／またはｚは０であってもよい。］
で示される界面活性剤である。
【０１３６】
特に、好ましい末端基キャップポリオキシアルキル化非イオン性界面活性剤は、式：
R1O[CH2CH2O]xCH2CH(OH)R2
で示される界面活性剤であり、これは、２〜３０個の炭素原子、好ましくは４〜２２個の炭素原子を含有する直鎖または分枝、飽和または不飽和、脂肪族または芳香族炭化水素基を表すＲ１基に加えて、１〜３０個の炭素原子を含有する直鎖または分枝、飽和または不飽和、脂肪族または芳香族炭化水素基Ｒ２も含有し、式中、ｘは１〜９０の値、好ましくは４０〜８０の値、特に４０〜６０の値を表す。
【０１３７】
式：
R1O[CH2CH(CH3)O]x[CH2CH2O]yCH2CH(OH)R2,
［式中、Ｒ１は、４〜１８個の炭素原子を含有する直鎖または分枝脂肪族炭化水素基或いはそれらの混合物を表し、Ｒ２は、２〜２６個の炭素原子を含有する直鎖または分枝炭化水素基或いはそれらの混合物を表し、ｘは０．５〜１．５の値を表し、ｙは少なくとも１５の値を表す。］
で示される界面活性剤が特に好ましい。
【０１３８】
また、式：
R1O[CH2CH2O]x[CH2CH(R3)O]yCH2CH(OH)R2,
［式中、Ｒ１およびＲ２は、相互に独立に、２〜２６個の炭素原子を含有する直鎖または分枝、飽和または単不飽和および／またはポリ不飽和炭化水素基を表し、Ｒ３は他から独立して、-CH3、-CH2CH3、-CH2-CH2-CH3、-CH(CH3)2から選択されるが、好ましくは-CH3を表し、ｘおよびｙは、相互に独立に、１〜３２の値を表す。］
で示される末端基キャップポリオキシアルキル化非イオン性界面活性剤が特に好ましい。Ｒ３＝−ＣＨ３、かつｘが１５〜３２の値を有し、ｙが０．５〜１．５の値を有する、非イオン性界面活性剤が最も好ましい。
【０１３９】
本発明での使用に好ましい別の非イオン性界面活性剤は、式：
R1O[CH2CH(R3)O]x[CH2]kCH(OH)[CH2]jOR2,
［式中、Ｒ１およびＲ２は、１〜３０個の炭素原子を含有する直鎖または分枝、飽和または不飽和、脂肪族または芳香族炭化水素基を表し、Ｒ３は、Ｈ、或いはメチル、エチル、ｎ−プロピル、イソプロピル、ｎ−ブチル、２−ブチル、または２−メチル−２−ブチル基を表し、ｘは１〜３０の値を表し、ｋおよびｊは１〜１２、好ましくは１〜５の値を表す。］
で示される末端基キャップポリオキシアルキル化非イオン性界面活性剤である。ｘが２以上の値ならば、上記した式：R1O[CH2CH(R3)O]x[CH2]kCH(OH)[CH2]jOR2中のＲ３は異なっていてよい。Ｒ１およびＲ２は、好ましくは、６〜２２個の炭素原子を含有する直鎖または分枝、飽和または不飽和、脂肪族または芳香族炭化水素基であり、８〜１８個の炭素原子を含有する基が特に好ましい。Ｒ３基については、Ｈ、−ＣＨ３、または−ＣＨ２ＣＨ３が特に好ましい。ｘについて特に好ましい値は、１〜２０、特に６〜１５の範囲である。
【０１４０】
上記したように、ｘが２以上ならば、上記した式中の各Ｒ３は異なっていてよい。このように、括弧内のアルキレンオキシド単位は変化できる。例えば、ｘが３を表すならば、Ｒ３基はエチレンオキシド（Ｒ３＝Ｈ）単位またはプロピレンオキシド（Ｒ３＝ＣＨ３）単位から選択され得、任意の順序、例えば、（ＥＯ）（ＰＯ）（ＥＯ）、（ＥＯ）（ＥＯ）（ＰＯ）、（ＥＯ）（ＥＯ）（ＥＯ）、（ＰＯ）（ＥＯ）（ＰＯ）、（ＰＯ）（ＰＯ）（ＥＯ）および（ＰＯ）（ＰＯ）（ＰＯ）で、一緒に結合され得る。例として、ここではｘについて値３を選択したが、容易により大きくすることができる。この場合、変化の幅は、ｘ値の上昇に伴って広がり、例えば、少数のＰＯ基と組み合わせた多数のＥＯ基、またはその逆を含む。
【０１４１】
上記した式の特に好ましい末端基キャップポリオキシアルキル化アルコールは、ｋ＝１かつｊ＝１であり、従って、上記した式は、R1O[CH2CH(R3)O]xCH2CH(OH)CH2OR2に簡素化される。この式において、Ｒ１、Ｒ２およびＲ３は上記のように定義され、ｘは１〜３０、好ましくは１〜２０、特に６〜１８の数を表す。基Ｒ１およびＲ２が各々９〜１４個の炭素原子を含有し、Ｒ３がＨを表し、ｘが６〜１５の値をとる、界面活性剤が特に好ましい。
【０１４２】
上記した非イオン性界面活性剤の記載した炭素鎖長さ並びにエトキシル化度および／またはアルコキシル化度は、統計的平均値であり、特定の生成物に対して整数または分数であってよい。上記した式で示される市販品は、製造方法に基づいて通常１種の個々の例から構成されず混合物であるので、炭素鎖長さ並びにエトキシル化度および／またはアルコキシル化度に対して平均値、従って分数値が得られる。
【０１４３】
上記した非イオン性界面活性剤は、個々の物質としてだけでなく、２種、３種、４種またはそれ以上の界面活性剤の界面活性剤混合物としても使用できる。界面活性剤混合物は、上記した一般式の１つに全体として該当する非イオン性界面活性剤の混合物ではないが、上記した一般式の変形体により記載され得る、２種、３種、４種またはそれ以上の非イオン性界面活性剤を含有する混合物である。
【０１４４】
洗浄剤Ａが０．２重量％〜１０重量％、好ましくは０．４重量％〜７重量％、特に０．６重量％〜４重量％の非イオン性界面活性剤も含有することを特徴とする、本発明の方法が好ましい。
【０１４５】
上記した界面活性剤に代えてまたは組み合わせて、カチオン性界面活性剤および／または両性界面活性剤も使用できる。
【０１４６】
例えば、以下の式：
【化１１】
2009540897.tif 000012
［式中、各Ｒ１基は、相互に独立に、Ｃ１〜６アルキル、アルケニルまたはヒドロキシアルキル基から選択され；各Ｒ２基は、相互に独立に、Ｃ８〜２８アルキルまたはアルケニル基から選択され；Ｒ３＝Ｒ１または(CH2)n-T-R2；Ｒ４＝Ｒ１またはＲ２または(CH2)n-T-R2；Ｔ＝-CH2-、-O-CO-または-CO-O-；ｎは０〜５の整数である。］
で示されるカチオン性界面活性剤を、カチオン性活性物質として使用してよい。
【０１４７】
ポリマーの群は、特に、活性洗剤または活性洗浄ポリマー、例えば、清浄濯ぎポリマーおよび／または硬水軟化剤として作用するポリマーを包含する。一般に、非イオン性ポリマーに加えて、カチオン性、アニオン性および両性ポリマーも、洗剤および洗浄剤に使用してよい。
【０１４８】
本発明において、「カチオン性ポリマー」は、ポリマー分子中に正電荷を有するポリマーである。これは、例えば、ポリマー鎖中に存在する（アルキル）アンモニウム基、または他の正に帯電した基により実現される。特に好ましいカチオン性ポリマーは、第四級セルロース誘導体、第四級基含有ポリシロキサン、カチオン性グアー誘導体、重合体ジメチルジアリルアンモニウム塩並びにそれらのアクリル酸およびメタクリル酸のエステルおよびアミドとのコポリマー、ビニルピロリドンとジアルキルアミノアクリレートおよびメタクリレートの四級化誘導体とのコポリマー、ビニルピロリドンメトイミダゾリニウムクロリドコポリマー、四級化ポリビニルアルコール、或いはＩＮＣＩ名ポリクオタニウム２、ポリクオタニウム１７、ポリクオタニウム１８およびポリクオタニウム２７により知られているポリマーの群に由来する。
【０１４９】
本発明において、「両性ポリマー」は、ポリマー鎖中に正に帯電した基に加えて、負に帯電した基および／またはモノマー単位も含有する。これらの負に帯電した群は、例えば、カルボン酸、スルホン酸またはホスホン酸であってよい。
【０１５０】
特に好適な機械用食器洗剤に好ましい洗剤または洗浄剤は、式：R1R2C=CR3R4［式中、各基Ｒ１、Ｒ２、Ｒ３、Ｒ４は、相互に独立に、水素、誘導体化ヒドロキシル基、Ｃ１〜３０直鎖または分枝アルキル基、アリール、アリール置換Ｃ１〜３０直鎖または分枝アルキル基、ポリアルコキシル化アルキル基、（帯電窒素を含有しない少なくとも１つの正電荷、少なくとも１個の四級窒素原子、または２〜１１のｐＨ範囲の一部で正電荷を有する少なくとも１つのアミノ基或いはその塩を有する）複素環式有機基から選択され、ただし、基Ｒ１、Ｒ２、Ｒ３、Ｒ４の少なくとも１つは、（窒素を含有しない少なくとも１つの正電荷、少なくとも１個の四級窒素原子、または正電荷を有する少なくとも１つのアミノ基を有する）複素環式有機基である。］で示されるモノマー単位を含有するポリマーａ）を含有することを特徴とする。
【０１５１】
本特許出願の範囲内で、特に好ましいカチオン性または両性ポリマーは、モノマー単位として、一般式：
【化１２】
2009540897.tif 000013
［式中、Ｒ１およびＲ４は、相互に独立に、Ｈ、或いは１〜６個の炭素原子を含有する直鎖または分枝炭化水素基を表し；Ｒ２およびＲ３は、相互に独立に、アルキル基、ヒドロキシアルキル基またはアミノアルキル基を表し（ここで、アルキル基は、直鎖または分枝であり、１〜６個の炭素原子を含有する。）、メチル基が好ましく；ｘおよびｙは、相互に独立に、１〜３の整数を表す。］
の化合物を含有する。Ｘ−は、対イオン、好ましくは、塩化物イオン、臭化物イオン、ヨウ化物イオン、硫酸イオン、重硫酸イオン、メトスルフェートイオン、ラウリルスルフェートイオン、ドデシルベンゼンスルホナトイオン、ｐ−トルエンスルホナトイオン（トシレートイオン）、クメンスルホナトイオン、キシレン−スルホナトイオン、リン酸イオン、クエン酸イオン、ギ酸イオン、酢酸イオンまたはそれらの混合物の群からの対イオンを表す。
【０１５２】
上記した式中の好ましい基Ｒ１およびＲ４は、-CH3、-CH2-CH3、-CH2-CH2-CH3、-CH(CH3)-CH3、-CH2-OH、-CH2-CH2-OH、-CH(OH)-CH3、-CH2-CH2-CH2-OH、-CH2-CH(OH)-CH3、-CH(OH)-CH2-CH3、-(CH2CH2-O)nHから選択される。
【０１５３】
上記した一般式のカチオン性モノマー単位を含有し、式中、Ｒ１およびＲ４はＨを表し、Ｒ２およびＲ３はメチルを表し、ｘおよびｙは各々１である、ポリマーが最も好ましい。式：
【化１３】
2009540897.tif 000014
で示される対応モノマー単位は、Ｘ−が塩化物イオンの場合、ＤＡＤＭＡＣ（ジアリルジメチルアンモニウムクロリド）としても知られている。
【０１５４】
他の特に好ましいカチオン性または両性ポリマーは、一般式：
【化１４】
2009540897.tif 000015
［式中、Ｒ１、Ｒ２、Ｒ３、Ｒ４およびＲ５は、相互に独立に、１〜６個の炭素原子を含有する直鎖または分枝、飽和または不飽和アルキルまたはヒドロキシアルキル基、好ましくは、-CH3、-CH2-CH3、-CH2-CH2-CH3、-CH(CH3)-CH3、-CH2-OH、-CH2-CH2-OH、-CH(OH)-CH3、-CH2-CH2-CH2-OH、-CH2-CH(OH)-CH3、-CH(OH)-CH2-CH3および-(CH2CH2-O)nHから選択される直鎖または分枝アルキル基を表し、ｘは１〜６の整数を表す。］
のモノマー単位を含有する。
【０１５５】
本発明の範囲内では、上記した一般式のカチオン性モノマー単位を含有し、式中、Ｒ１がＨを表し、Ｒ２、Ｒ３、Ｒ４およびＲ５がメチルを表し、ｘが３を表す、ポリマーが最も好ましい。式：
【化１５】
2009540897.tif 000016
で示される対応モノマー単位は、Ｘ−が塩化物イオンの場合、ＭＡＰＴＡＣ（メタクリルアミドプロピルトリメチルアンモニウムクロリド）としても知られている。
【０１５６】
モノマー単位としてジアリルジメチルアンモニウム塩および／またはアクリルアミドプロピルトリメチルアンモニウム塩を含有するポリマーが、本発明に従った使用に好ましい。
【０１５７】
上記した両性ポリマーは、カチオン性基だけでなく、アニオン性の基および／またはモノマー単位も含有する。そのようなアニオン性モノマー単位は、例えば、直鎖または分枝、飽和または不飽和カルボキシレート、直鎖または分枝、飽和または不飽和ホスホネート、直鎖または分枝、飽和または不飽和スルフェート、或いは直鎖または分枝、飽和または不飽和スルホネートの群に由来する。好ましいモノマー単位は、アクリル酸、（メタ）アクリル酸、（ジメタ）アクリル酸、（エチル）アクリル酸、シアノアクリル酸、ビニル酢酸、アリル酢酸、クロトン酸、マレイン酸、フマル酸、桂皮酸およびそれらの誘導体、アリルスルホン酸、例えば、アリルオキシベンゼンスルホン酸およびメタリルスルホン酸またはアリルホスホン酸である。
【０１５８】
使用に好ましい両性ポリマーは、アルキルアクリルアミド／アクリル酸コポリマー、アルキルアクリルアミド／メタクリル酸コポリマー、アルキルアクリルアミド／メチルメタクリル酸コポリマー、アルキルアクリルアミド／アクリル酸／アルキルアミノアルキル（メタ）アクリル酸コポリマー、アルキルアクリルアミド／メタクリル酸／アルキルアミノアルキル（メタ）アクリル酸コポリマー、アルキルアクリルアミド／メチルメタクリル酸／アルキルアミノアルキル（メタ）アクリル酸コポリマー、アルキルアクリルアミド／アルキルメタクリレート／アルキルアミノエチルメタクリレート／アルキルメタクリレートコポリマー、並びに不飽和カルボン酸、カチオン誘導体化不飽和カルボン酸および任意に他のイオン性または非イオン性モノマーのコポリマーの群に由来する。
【０１５９】
本発明での使用に好ましい双性イオン性ポリマーは、アクリルアミドアルキルトリアルキルアンモニウムクロリド／アクリル酸コポリマー並びにそれらのアルカリ塩およびアンモニウム塩、アクリルアミドアルキルトリアルキルアンモニウムクロリド／メタクリル酸コポリマー並びにそれらのアルカリ塩およびアンモニウム塩、およびメタクロイルエチルベタイン／メタクリレートコポリマーの群に由来する。
【０１６０】
１種以上のアニオン性モノマーに加えて、カチオン性モノマーとして、メタクリルアミド−アルキルトリアルキルアンモニウムクロリドおよびジメチルジアリルアンモニウムクロリドを含んでなる両性ポリマーも使用に好ましい。
【０１６１】
特に好ましい両性ポリマーは、メタクリルアミドアルキルトリアルキルアンモニウムクロリド／ジメチル（ジアリル）アンモニウムクロリド／アクリル酸コポリマー、メタクリルアミドアルキルトリアルキルアンモニウムクロリド／ジメチル（ジアリル）アンモニウムクロリド／メタクリル酸コポリマー、およびメタクリルアミドアルキルトリアルキルアンモニウムクロリド／ジメチル（ジアリル）アンモニウムクロリド／アルキル（メタ）アクリル酸コポリマー、並びにそれらのアルカリ塩およびアンモニウム塩の群に由来する。メタクリルアミドプロピルトリメチルアンモニウムクロリド／ジメチル（ジアリル）アンモニウムクロリド／アクリル酸コポリマー、メタクリルアミドプロピルトリメチルアンモニウムクロリド／ジメチル（ジアリル）アンモニウムクロリド／アクリル酸コポリマー、およびメタクリルアミドプロピルトリメチルアンモニウムクロリド／ジメチル（ジアリル）アンモニウムクロリド／アルキル（メタ）アクリル酸コポリマー、並びにそれらのアルカリ塩およびアンモニウム塩の群からの両性ポリマーが特に好ましい。
【０１６２】
本発明の特に好ましい態様では、ポリマーは予め二次加工された形態で存在する。ポリマーの二次加工には、とりわけ、以下が適している。
・好ましくは水溶性または水分散性の天然または合成ポリマーによる被覆；
・非水溶性可融性被覆剤による、好ましくは３０℃より高い融点を有するワックスまたはパラフィンの群からの非水溶性被覆剤によるポリマーのカプセル化；
・不活性キャリヤー物質による、好ましくは活性洗剤および洗浄物質の群から、特に好ましくはビルダーまたは共ビルダーの群からのキャリヤー物質によるポリマーの共粒状化。
【０１６３】
好ましい洗浄剤は、上記したカチオン性および／または両性ポリマーを、配合物の総重量に各々基づいて、好ましくは０．０１重量％〜８重量％の量で含有する。しかしながら、本特許出願の範囲内では、カチオン性および／または両性ポリマーの量が、洗浄剤の総重量に各々基づいて、０．０１重量％〜６重量％、好ましくは０．０１重量％〜４重量％、特に好ましくは０．０１重量％〜２重量％、とりわけ０．０１重量％〜１重量％である、配合物が好ましい。
【０１６４】
硬水軟化剤として作用するポリマーは、例えば、スルホン酸基含有ポリマーを包含し、それらは特に有利に使用される。
【０１６５】
不飽和カルボン酸、スルホン酸基含有モノマー、および任意に他のイオン性または非イオン性モノマーのコポリマーが、スルホン酸基含有ポリマーとして、特に好ましく使用され得る。
【０１６６】
本発明の範囲内では、好ましいモノマーは、式：
R1(R2)C=C(R3)COOH
［式中、Ｒ１〜Ｒ３は、相互に独立に、−Ｈ、−ＣＨ３、２〜１２個の炭素原子を含有する直鎖または分枝、飽和アルキル基、２〜１２個の炭素原子を含有する直鎖または分枝、単不飽和またはポリ不飽和アルケニル基、−ＮＨ２、−ＯＨまたは−ＣＯＯＨで置換されたアルキルまたはアルケニル基、或いは−ＣＯＯＨまたは−ＣＯＯＲ４（ここで、Ｒ４は、１〜１２個の炭素原子を含有する飽和または不飽和、直鎖または分枝炭化水素基である。）を表す。］
で示される不飽和カルボン酸である。
【０１６７】
上記した式により記載できる不飽和カルボン酸のうち、特に、アクリル酸（Ｒ１＝Ｒ２＝Ｒ３＝Ｈ）、メタクリル酸（Ｒ１＝Ｒ２＝Ｈ；Ｒ３＝ＣＨ３）、および／またはマレイン酸（Ｒ１＝ＣＯＯＨ；Ｒ２＝Ｒ３＝Ｈ）が好ましい。
【０１６８】
スルホン酸基含有モノマーのうち、好ましいものは、式：
R5(R6)C=C(R7)-X-SO3H
［式中、Ｒ５〜Ｒ７は、相互に独立に、Ｈ、ＣＨ３、２〜１２個の炭素原子を含有する直鎖または分枝、飽和アルキル基、２〜１２個の炭素原子を含有する直鎖または分枝、単不飽和またはポリ不飽和アルケニル基、−ＮＨ２、−ＯＨまたは−ＣＯＯＨで置換されたアルキルまたはアルケニル基、或いは−ＣＯＯＨまたは−ＣＯＯＲ４（ここで、Ｒ４は、１〜１２個の炭素原子を含有する飽和または不飽和、直鎖または分枝炭化水素基である。）を表し、Ｘは、-(CH2)n-（ここで、ｎ＝０〜４）、-COO-(CH2)k-（ここで、ｋ＝１〜６）、-C(O)-NH-C(CH3)2および-C(O)-NH-CH(CH2CH3)-から選択される任意のスペーサー基である。］
で示される。
【０１６９】
これらのモノマーのうち、好ましいものは、式：
H2C=CH-X-SO3H
H2C=C(CH3)-X-SO3H
HO3S-X-(R6)C=C(R7)-X-SO3H,
［式中、Ｒ６およびＲ７は、相互に独立に、-H、-CH3、-CH2CH3、-CH2CH2CH3、-CH(CH3)2から選択され、Ｘは、-(CH2)n-（ここで、ｎ＝０〜４）、-COO-(CH2)k-（ここで、ｋ＝１〜６）、-C(O)-NH-C(CH3)2-および-C(O)-NH-CH(CH2CH3)-から選択される任意のスペーサー基である。］
で示される。
【０１７０】
特に好ましいスルホン酸基含有モノマーは、１−アクリルアミド−１−プロパンスルホン酸、２−アクリルアミド−２−プロパンスルホン酸、２−アリールアミド−２−メチル−１−プロパンスルホン酸、２−メタクリルアミド−２−メチル−１−プロパンスルホン酸、３−メタクリルアミド−２−ヒドロキシプロパンスルホン酸、アリルスルホン酸、メタリルスルホン酸、アリルオキシベンゼンスルホン酸、メタリルオキシベンゼンスルホン酸、２−ヒドロキシ−３−（２−プロペニルオキシ）プロパンスルホン酸、２−メチル−２−プロペン−１−スルホン酸、スチレンスルホン酸、ビニルスルホン酸、３−スルホプロピルアクリレート、３−スルホプロピルメタクリレート、スルホメタクリルアミド、スルホメチルメタクリルアミド、および上記した酸の水溶性塩を包含する。
【０１７１】
特に、エチレン性不飽和化合物が、更なるイオン性または非イオン性モノマーとして考慮され得る。出発ポリマー中の、これら更なるイオン性または非イオン性モノマーの量は、ポリマーに基づいて好ましくは２０重量％未満である。使用に特に好ましいポリマーは、式：R1(R2)C=C(R3)COOHのモノマーおよび式：R5(R6)C=C(R7)-X-SO3Hのモノマーのみからなる。
【０１７２】
要約すると、以下からなるコポリマーが特に好ましい：
ｉ）式：R1(R2)C=C(R3)COOH［式中、Ｒ１〜Ｒ３は、相互に独立に、−Ｈ、−ＣＨ３、２〜１２個の炭素原子を含有する直鎖または分枝飽和基、２〜１２個の炭素原子を含有する直鎖または分枝、単不飽和またはポリ不飽和アルケニル基、−ＮＨ２、−ＯＨまたは−ＣＯＯＨ置換基を含有する先に定義したようなアルキルまたはアルケニル基、或いは−ＣＯＯＨまたは−ＣＯＯＲ４（ここで、Ｒ４は、１〜１２個の炭素原子を含有する飽和または不飽和、直鎖または分枝炭化水素基である。）を表す。］で示される不飽和カルボン酸、
ｉｉ）式：R5(R6)C=C(R7)-X-SO3H［式中、Ｒ５〜Ｒ７は、相互に独立に、−Ｈ、−ＣＨ３、２〜１２個の炭素原子を含有する直鎖または分枝飽和アルキル基、２〜１２個の炭素原子を含有する直鎖または分枝、単不飽和またはポリ不飽和アルケニル基、先に定義したような−ＮＨ２、−ＯＨまたは−ＣＯＯＨで置換されたアルキルまたはアルケニル基、或いは−ＣＯＯＨまたは−ＣＯＯＲ４（ここで、Ｒ４は、１〜１２個の炭素原子を含有する飽和または不飽和、直鎖または分枝炭化水素基である。）を表し、Ｘは、-(CH2)n-（ここで、ｎ＝０〜４）、-COO-(CH2)k-（ここで、ｋ＝１〜６）、-C(O)-NH-C(CH3)2-および-C(O)-NH-CH(CH2CH3)-から選択される任意のスペーサー基を表す。］で示されるスルホン酸基含有モノマー、
ｉｉｉ）任意に他のイオン性または非イオン性モノマー。
【０１７３】
他の特に好ましいコポリマーは以下からなる：
ｉ）アクリル酸、メタクリル酸および／またはマレイン酸の群からの１種以上の不飽和カルボン酸、
ｉｉ）式：
H2C=CH-X-SO3H
H2C=C(CH3)-X-SO3H
HO3S-X-(R6)C=C(R7)-X-SO3H
［式中、Ｒ６およびＲ７は、相互に独立に、-H、-CH3、-CH2CH3、-CH2CH2CH3、-CH(CH3)2から選択され、Ｘは、-(CH2)n-（ここで、ｎ＝０〜４）、-COO-(CH2)k-（ここで、ｋ＝１〜６）、-C(O)-NH-C(CH3)2-および-C(O)-NH-CH(CH2CH3)-から選択される任意のスペーサー基を表す。］
で示される１種以上のスルホン酸基含有モノマー、
ｉｉｉ）任意に他のイオン性または非イオン性モノマー。
【０１７４】
コポリマーは、様々な量で、群ｉ）およびｉｉ）および任意にｉｉｉ）からのモノマーを含有でき、群ｉ）からの例の全ては、群ｉｉ）からの例の全ておよび群ｉｉｉ）からの例の全てと組み合わせることができる。
【０１７５】
特に好ましいポリマーは、以下に記載する特定の構造単位を含有する。
【０１７６】
例えば、式：
-[CH2-CHCOOH]m-[CH2-CHC(O)-Y-SO3H]p-
［式中、ｍおよびｐは各々、１〜２０００の自然数を表し、Ｙは、１〜２４個の炭素原子を含有する、置換または非置換脂肪族、芳香族または置換芳香族炭化水素基から選択されるスペーサー基を表し、Ｙが-O-(CH2)n-（ここで、ｎ＝０〜４）、-O-(C6H4)-、-NH-C(CH3)2-または-NH-CH(CH2CH3)-であるスペーサー基が好ましい。］
の構造単位を含有するコポリマーが好適である。
【０１７７】
これらのポリマーは、アクリル酸とスルホン酸基含有アクリル酸誘導体とを共重合することにより調製される。スルホン酸基含有アクリル酸誘導体をメタクリル酸と共重合するならば、別のポリマーが得られ、それらを使用することも好ましい。対応するコポリマーは、式：
-[CH2-C(CH3)COOH]m-[CH2-CHC(O)-Y-SO3H]p-
［式中、ｍおよびｐは各々、１〜２０００の自然数を表し、Ｙは、１〜２４個の炭素原子を含有する、置換または非置換脂肪族、芳香族または置換芳香族炭化水素基から選択されるスペーサー基を表し、Ｙが-O-(CH2)n-（ここで、ｎ＝０〜４）、-O-(C6H4)-、-NH-C(CH3)2-または-NH-CH(CH2CH3)-であるスペーサー基が好ましい。］
の構造単位を含有する。
【０１７８】
完全な類似性により、分子中の構造単位が部分的に変化するように、アクリル酸および／またはメタクリル酸をスルホン酸基含有メタクリル酸誘導体と共重合することもできる。例えば、式：
-[CH2-CHCOOH]m-[CH2-C(CH3)C(O)-Y-SO3H]p-
［式中、ｍおよびｐは各々、１〜２０００の自然数を表し、Ｙは、１〜２４個の炭素原子を含有する、置換または非置換脂肪族、芳香族または置換芳香族炭化水素基から選択されるスペーサー基を表し、Ｙが-O-(CH2)n-（ここで、ｎ＝０〜４）、-O-(C6H4)-、-NH-C(CH3)2-または-NH-CH(CH2CH3)-であるスペーサー基が好ましい。］
の構造単位を含有するコポリマーが好適であり、同様に、式：
-[CH2-C(CH3)COOH]m-[CH2-C(CH3)C(O)-Y-SO3H]p-
［式中、ｍおよびｐは各々、１〜２０００の自然数を表し、Ｙは、１〜２４個の炭素原子を含有する、置換または非置換脂肪族、芳香族または置換芳香族炭化水素基から選択されるスペーサー基を表し、Ｙが-O-(CH2)n-（ここで、ｎ＝０〜４）、-O-(C6H4)-、-NH-C(CH3)2-または-NH-CH(CH2CH3)-であるスペーサー基が好ましい。］
の構造単位を含有するコポリマーも好適である。
【０１７９】
アクリル酸および／またはメタクリル酸に代えておよび／または加えて、マレイン酸も、群ｉ）からの特に好ましいモノマーとして使用できる。このようにして、本発明に従って好ましいコポリマーは、式：
-[HOOCCH-CHCOOH]m-[CH2-CHC(O)-Y-SO3H]p-
［式中、ｍおよびｐは各々、１〜２０００の自然数を表し、Ｙは、１〜２４個の炭素原子を含有する、置換または非置換の脂肪族、芳香族または芳香脂肪族炭化水素基から選択されるスペーサー基を表し、Ｙが-O-(CH2)n-（ここで、ｎ＝０〜４）、-O-(C6H4)-、-NH-C(CH3)2-または-NH-CH(CH2CH3)-であるスペーサー基が好ましい。］
の構造単位を含有する。また、式：
-[HOOCCH-CHCOOH]m-[CH2-C(CH3)C(O)O-Y-SO3H]p-
［式中、ｍおよびｐは各々、１〜２０００の自然数を表し、Ｙは、１〜２４個の炭素原子を含有する、置換または非置換脂肪族、芳香族または置換芳香族炭化水素基から選択されるスペーサー基を表し、Ｙが-O-(CH2)n-（ここで、ｎ＝０〜４）、-O-(C6H4)-、-NH-C(CH3)2-または-NH-CH(CH2CH3)-であるスペーサー基が好ましい。］
の構造単位を含有するコポリマーも本発明では好適である。
【０１８０】
要約すると、以下の式：
【化１６】
2009540897.tif 000017
［式中、ｍおよびｐは各々、１〜２０００の自然数を表し、Ｙは、１〜２４個の炭素原子を含有する、置換または非置換脂肪族、芳香族または置換芳香族炭化水素基から選択されるスペーサー基を表し、Ｙが-O-(CH2)n-（ここで、ｎ＝０〜４）、-O-(C6H4)-、-NH-C(CH3)2-または-NH-CH(CH2CH3)-であるスペーサー基が好ましい。］
の構造単位を含有するコポリマーが本発明では好適である。
【０１８１】
ポリマー中のスルホン酸基は、完全にまたは部分的に、中和された状態で存在してよい。即ち、スルホン酸基の酸性水素原子は、スルホン酸基の一部または全てにおいて、金属イオン（好ましくはアルカリ金属イオン、特にナトリウムイオン）に置き換えられていてよい。部分的にまたは完全に中和されたスルホン酸基含有コポリマーの使用が、本発明では好ましい。
【０１８２】
群ｉ）およびｉｉ）からのモノマーしか含有しないコポリマーにおいて、本発明に従った使用に好ましいコポリマーのモノマー分布は、ポリマーに各々基づいて、好ましくは５重量％〜９５重量％のｉ）および／またはｉｉ）、特に好ましくは５０重量％〜９０重量％の群ｉ）からのモノマーおよび１０重量％〜５０重量％の群ｉｉ）からのモノマーである。
【０１８３】
ターポリマーでは、２０重量％〜８５重量％の群ｉ）からのモノマー、１０重量％〜６０重量％の群ｉｉ）からのモノマー、および５重量％〜３０重量％の群ｉｉｉ）からのモノマーを含有するものが、特に好ましい。
【０１８４】
本発明に従った使用に好ましいスルホコポリマーの分子量は、望ましい意図した用途にポリマーの特性を適合させるために変化させることができる。好ましい洗剤または洗浄剤は、コポリマーが、２０００ｇ／ｍｏｌ〜２００，０００ｇ／ｍｏｌ、好ましくは４０００ｇ／ｍｏｌ〜２５，０００ｇ／ｍｏｌ、特に５０００ｇ／ｍｏｌ〜１５，０００ｇ／ｍｏｌの分子量を有することを特徴とする。
【０１８５】
洗浄剤Ａおよび／または洗浄剤Ｂが、洗浄剤Ａおよび／またはＢの総重量に基づいて、０．０１重量％〜１５重量％、好ましくは０．０２重量％〜１２重量％、特に０．１重量％〜８重量％の１種以上の活性洗剤または活性洗浄ポリマーも含有することを特徴とする配合物も、本発明では好ましい。
【０１８６】
ガラス腐蝕防止剤は、濁り、曇りおよび掻き傷の発現を防ぐだけでなく、機械洗いされるガラスのガラス表面の真珠光も防ぐ。好ましいガラス腐蝕防止剤は、マグネシウム塩および／または亜鉛塩および／またはマグネシウム錯体および／または亜鉛錯体の群に由来する。
【０１８７】
本発明に従って好ましい亜鉛塩、好ましくは有機酸の亜鉛塩、特に好ましくは有機カルボン酸の亜鉛塩の範囲は、水中でほとんどまたは全く溶解しない塩、即ち、１００ｍｇ／Ｌ未満、好ましくは１０ｍｇ／Ｌ未満、特に０．０１ｍｇ／Ｌ未満の溶解度を有する塩から、１００ｍｇ／Ｌ超、好ましくは５００ｍｇ／Ｌ超、特に好ましくは１ｇ／Ｌ超、とりわけ５ｇ／Ｌ超の水への溶解度を有する塩まで及ぶ（全て水温２０℃での溶解度）。亜鉛塩の第一の群は、例えば、クエン酸亜鉛、オレイン酸亜鉛およびステアリン酸亜鉛を包含し、可溶性亜鉛塩の群は、例えば、ギ酸亜鉛、酢酸亜鉛、乳酸亜鉛およびグルコン酸亜鉛を包含する。
【０１８８】
少なくとも１種の有機カルボン酸の亜鉛塩、特に好ましくは、ステアリン酸亜鉛、オレイン酸亜鉛、グルコン酸亜鉛、酢酸亜鉛、乳酸亜鉛および／またはクエン酸亜鉛の群からの亜鉛塩が、ガラス腐蝕防止剤として特に好ましい。リシノール酸亜鉛、アビエチン酸亜鉛およびシュウ酸亜鉛も好ましい。
【０１８９】
加えて、可溶性無機亜鉛塩、特に、硫酸亜鉛、硝酸亜鉛および塩化亜鉛が、ガラス腐蝕防止剤に適している。
【０１９０】
腐蝕防止剤は、機械または洗われる物品を保護する役割を果たし、銀保護剤は、機械による食器洗いの分野で特に重要である。従来技術で知られている物質を使用してよい。一般に、銀保護剤は、トリアゾール、ベンゾトリアゾール、ビスベンゾトリアゾール、アミノトリアゾール、アルキルアミノトリアゾール、および遷移金属塩または錯体の群から特に選択できる。ベンゾトリアゾールおよび／またはアルキルアミノトリアゾールが、本発明での使用に特に好ましい。３−アミノ−５−アルキル−１，２，４−トリアゾールおよび／またはその生理学的許容性塩が本発明では好ましく、該物質を、とりわけ好ましくは０．００１重量％〜１０重量％、好ましくは０．００２５重量％〜２重量％、特に好ましくは０．０１重量％〜０．０４重量％の濃度で使用する。塩を生成するための好ましい酸は、塩酸、硫酸、リン酸、炭酸、亜硫酸、有機カルボン酸（例えば、酢酸、グリコール酸、クエン酸、コハク酸）を包含する。５−ペンチル、５−ヘプチル、５−ノニル、５−ウンデシル、５−イソノニル、５−バーサチック−１０−酸アルキル−３−アミノ−１，２，４−トリアゾールおよびこれら物質の混合物が最も有効である。
【０１９１】
また、銀表面の腐蝕を確かに低減できる活性塩素含有製剤を、しばしば、洗浄剤配合物に使用する。塩素不含有洗浄剤には、特に、酸素および窒素を含有する酸化還元活性有機化合物、例えば二価および三価フェノール、例えば、ヒドロキノン、ピロカテコール、ヒドロキシヒドロキノン、没食子酸、フロログルシン、ピロガロールおよび／またはこれら化合物の誘導体を使用する。塩および錯体のような無機化合物、例えば、金属Ｍｎ、Ｔｉ、Ｚｒ、Ｈｆ、Ｖ、ＣｏおよびＣｅの塩も、しばしば使用する。本発明では、マンガン塩および／またはコバルト塩および／またはコバルト錯体、特に好ましくは、コバルト−（アンミン）錯体、コバルト−（アセテート）錯体、コバルト−（カルボニル）錯体、コバルトまたはマンガンの塩化物、および硫酸マンガンの群から選択される遷移金属塩が好ましい。同様に、亜鉛化合物も、機械洗いされる物品の腐蝕を防止するために使用してよい。
【０１９２】
上記した銀保護剤（例えばベンゾトリアゾール）に代えてまたは加えて、酸化還元活性物質も使用できる。これらの物質は、好ましくは、マンガン、チタン、ジルコニウム、ハフニウム、バナジウム、コバルトおよびセリウムの塩および／または錯体の群からの酸化還元活性無機物質であって、該金属は、好ましくは、酸化状態ＩＩ、ＩＩＩ、ＩＶ、ＶまたはＶＩの１つにある。
【０１９３】
使用される金属塩および／または金属錯体は、水中で少なくとも部分的に溶解すべきである。塩を形成するために適した対イオンは、１、２または３の負電荷を有する通常の無機アニオンの全て、例えば、酸化物イオン、硫酸イオン、硝酸イオン、フッ化物イオン、並びに有機アニオン、例えばステアリン酸イオンを包含する。
【０１９４】
特に好ましい金属塩および／または金属錯体は、ＭｎＳＯ４、クエン酸Ｍｎ（ＩＩ）、ステアリン酸Ｍｎ（ＩＩ）、Ｍｎ（ＩＩ）アセチルアセトネート、Ｍｎ（ＩＩ）１−ヒドロキシエタン−１，１−ジホスホネート、Ｖ２Ｏ５、Ｖ２Ｏ４、ＶＯ２、ＴｉＯＳＯ４、Ｋ２ＴｉＦ６、Ｋ２ＺｒＦ６、ＣｏＳＯ４、Ｃｏ（ＮＯ３）２、Ｃｅ（ＮＯ３）３並びにそれらの混合物の群から選択される。従って、ＭｎＳＯ４、クエン酸Ｍｎ（ＩＩ）、ステアリン酸Ｍｎ（ＩＩ）、Ｍｎ（ＩＩ）アセチルアセトネート、Ｍｎ（ＩＩ）１−ヒドロキシエタン−１，１−ジホスホネート、Ｖ２Ｏ５、Ｖ２Ｏ４、ＶＯ２、ＴｉＯＳＯ４、Ｋ２ＴｉＦ６、Ｋ２ＺｒＦ６、ＣｏＳＯ４、Ｃｏ（ＮＯ３）２、Ｃｅ（ＮＯ３）３の群から選択される金属塩および／または金属錯体が、特に好ましく使用される。
【０１９５】
酸化還元活性無機物質、特に金属塩および／または金属錯体は、貯蔵中の時期尚早な分解または酸化を防ぐため、好ましくは被覆される、即ち、耐水性であるが洗浄温度で容易に溶解できる物質で完全に覆われる。既知の方法（例えば食品産業からのSandwikに従った溶融塗布法）により塗布される好ましい被覆剤は、パラフィン、マイクロワックス、天然起源蝋（例えば、カルナウバ蝋、カンデリラ蝋、蜜蝋）、ヘキサデカノールのような高融点アルコール、石鹸または脂肪酸を包含する。
【０１９６】
本発明の範囲内で使用される香油および／または香料は、個々の芳香化合物、例えば、エステル、エーテル、アルデヒド、ケトン、アルコールおよび炭化水素型の合成生成物を包含する。しかしながら、魅力的な芳香ノートを一緒に生じる異なった香料の混合物が好ましい。そのような香油は、天然香料混合物、例えば植物起源から入手できるもの、例えば、松根油、シトラス油、ジャスミン油、パチョリ油、ローズ油またはイランイラン油を包含してもよい。
【０１９７】
知覚されるために、香料は揮発性でなければならない。揮発性には、官能基の種類および化合物の構造に加えて、分子量も重要な役割を果たす。例えば、ほとんどの香料は約２００ダルトンまでの分子量を有し、３００ダルトン以上の分子量は例外となる傾向がある。香料の様々な揮発性に基づいて、複数の香料成分を含んでなる香料および／または芳香剤の芳香は蒸発中に変化し、その目的のため、芳香の効果は、トップノート、ミドルノーとおよび／またはボディおよびエンドノートおよび／またはドライアウトに従って細分される。芳香の知覚は、多くの場合、芳香強度に基づくので、香料および／または芳香剤のトップノートは揮発性化合物からもっぱらなるわけではない。一方、エンドノートは、多くの場合、低揮発性香料、即ち付着力のある香料からなる。香料の配合において、より易揮発性の香料は定着剤に結合でき、それによって、過度に迅速な揮発を防ぐ。「より揮発性の」および／または「付着力のある」香料としての香料の続く分類では、芳香の効果、或いは対応する香料がトップノートとして知覚されるかまたはミドルノートとして知覚されるかについては問われない。
【０１９８】
芳香剤は直接調製され得るが、芳香剤をキャリヤーに適用することも有利であり得る。これは、長続きする芳香のために、より緩やかに芳香が放出されることを確実にする。そのようなキャリヤー物質は、例えばシクロデキストリンであることが分かった。シクロデキストリン−香料複合体は、更に別の添加剤で被覆されていてもよい。
【０１９９】
好ましい着色剤は、着色剤含有製剤で処理される基材（例えば、布地、ガラス、セラミックまたはプラスチック製食器類）に対して、それらを汚さないように、著しい親和性を有さないだけでなく、貯蔵中極めて安定であり、洗剤の他成分および光に対して非感受性である。着色剤の選択は、当業者にとって問題とはならない。
【０２００】
着色剤の選択に際して、着色剤が良好な貯蔵安定性を有し、光に対して非感受性であり、ガラス、セラミックまたはプラスチック製食器類に対する過度に高い親和性を有さないという事実を考慮しなければならない。同時に、適当な着色剤の選択において、着色剤が、酸化に対して異なる安定性を有するという事実も考慮すべきである。一般に、非水溶性着色剤が水溶性着色剤より酸化に対してより安定であるということは事実である。溶解性、従って酸化感受性に依存して、洗剤または洗浄剤中の着色剤の濃度は変化する。易水溶性着色剤の場合、典型的には、２〜３×１０−２重量％から２〜３×１０−３重量％の範囲に着色剤濃度を選択する。その明るさの故に特に好ましいが水溶性ではない顔料着色剤の場合、洗剤または洗浄剤中の着色剤の適当な濃度は、典型的には、２〜３×１０−３重量％から２〜３×１０−４重量％である。
【０２０１】
洗う過程で酸化分解され得る着色剤、およびそれらと適当な青色着色剤（いわゆる青色トーナー）との混合物が好ましい。水に溶解できるか、または室温で液体状有機物質に溶解できる、着色剤を使用することが有利であることが分かった。例えばアニオン性着色剤、例としてアニオン性ニトロソ染料が適している。
【０２０２】
本発明の洗浄剤は防腐剤も含有してよい。本発明によれば、例えば、アルコール、アルデヒド、抗菌性酸および／またはそれらの塩、カルボン酸エステル、酸アミド、フェノール、フェノール誘導体、ジフェニル、ジフェニルアルカン、尿素誘導体、酸素、窒素アセタールおよびホルマール、ベンズアミジン、イソチアゾールおよびそれらの誘導体（例えば、イソチアゾリンおよびイソチアゾリノン）、フタルイミド誘導体、ピリジン誘導体、抗菌性界面活性化合物、グアニジン、抗菌性両性化合物、キノリン、１，２−ジブロモ−２，４−ジシアノブタン、ヨード−２−プロピニルブチルカルバメート、ヨウ素、ヨードフォアおよび過酸化物の群からの防腐剤が適している。好ましい抗菌活性成分は、好ましくは、エタノール、ｎ−プロパノール、イソプロパノール、１，３−ブタンジオール、フェノキシエタノール、１，２−プロピレングリコール、グリセロール、ウンデシレン酸、クエン酸、乳酸、安息香酸、サリチル酸、チモール、２−ベンジル−４−クロロフェノール、２，２’−メチレン−ビス−（６−ブロモ−４−クロロフェノール）、２，４，４’−トリクロロ−２’−ヒドロキシジフェニルエーテル、Ｎ−（４−クロロフェニル）−Ｎ−（３，４−ジクロロフェニル）尿素、Ｎ，Ｎ’−（１，１０−デカンジイルジ−１−ピリジニル−４−イリデン）−ビス−（１−オクタンアミン）ジヒドロクロリド、Ｎ，Ｎ’−ビス−（４−クロロフェニル）−３，１２−ジイミノ−２，４，１１，１３−テトラアザテトラデカンジイミドアミド、抗菌性第四級界面活性化合物、グアニジンを含んでなる群から選択される。しかしながら、特に好ましい防腐剤は、サリチル酸、第四級界面活性剤、特に、塩化ベンザルコニウム、並びにイソチアゾールおよびそれらの誘導体（例えば、イソチアゾリンおよびイソチアゾリノン）を含んでなる群から選択される。
【０２０３】
有効性および貯蔵安定性について、多数の洗浄剤が特に有利であることが分かった。
【０２０４】
このため、本発明に従った食器洗い機での食器の好ましい機械洗浄方法は、予備濯ぎサイクルおよび洗浄サイクルを含む洗浄プログラムの過程において、以下の組成：
Ａ：以下の表に従った組成、
Ｂ：以下の表に従った組成
を有する２種の液体状洗浄剤ＡおよびＢを、２つの逐次的な時間ｔ１およびｔ２に、食器洗い機内部に計量供給し、液体状洗浄剤ＡがｐＨ６〜９（２０℃）を有し、時間ｔ１に計量供給され、一方、液体状洗浄剤ＢがｐＨ９〜１４（２０℃）を有し、時間ｔ２に計量供給される、方法である。
（実施例）
【０２０５】
【表１−１】
2009540897.tif 000018
【０２０６】
【表１−２】
2009540897.tif 000019
【０２０７】
【表１−３】
2009540897.tif 000020
【０２０８】
【表１−４】
2009540897.tif 000021
【０２０９】
【表１−５】
2009540897.tif 000022
【０２１０】
【表１−６】
2009540897.tif 000023
【０２１１】
【表１−７】
2009540897.tif 000024
【０２１２】
【表１−８】
2009540897.tif 000025
【０２１３】
通し番号３３〜６４を付けた洗浄剤ＡおよびＢは、好ましくは２重量％未満、好適には１重量％未満、特に好ましくは０．５重量％未満の漂白剤含有量を有し、最も好ましくは漂白剤を含有しない。
【０２１４】
本発明の方法は、特に、茶による汚れのような漂白可能な汚れを除去するため、および乾燥した汚れを落とすために適している。
【０２１５】
従って、漂白可能な汚れを除去するため、好ましくは硬質表面上の茶による汚れを除去するため、および／または乾燥および／または焼かれた汚れを落とすため、特に乾燥および／または焼かれた汚れを機械による食器洗いで落とすための、本発明の方法の使用は、本特許出願の更なる対象である。
【０２１６】
乾燥または焼かれた汚れの群は、例えば、乾燥したデンプン汚れ、例として、オートミール、または例えば麺類またはジャガイモのようなデンプン成分だけでなく肉の残留物も含むキャセロールの焼かれた残留物を包含する。
【国際調査報告】
2009540897.tif 000026
2009540897.tif 000027
2009540897.tif 000028
2009540897.tif 000029